(57)【要約】  履物物品は、内部空隙を画定するアッパーと、アッパーに取り付けられるソール構造と、アッパーに取り付けられ、アッパーの内部空隙の容積を減少させるために締付方向に移動可能であり、アッパーの内部空隙の容積を増加させるために緩め方向に移動可能である、ケーブルと、ケーブルの移動を防止するロック状態とケーブルの移動を許容するロック解除状態との間で動作可能なロックデバイスとを含み、ロックデバイスは、アッパー及びソール構造の一方に取り付けられ、ケーブルを貫通して受け入れる、ハウジングを有する。ハウジングは、内部に回転可能に配置されたプーリを含み、それによって、プーリは、ケーブルによって係合され、プーリがケーブルによって回転させられるときに、可聴フィードバック又は触覚フィードバックを提供するようハウジングと協働するように構成される。
2021536309.tif 000002
【特許請求の範囲】
【請求項１】
履物物品であって、
内部空隙を画定するアッパーと、
前記アッパーを締め付けられた状態に移動させるよう締付方向に移動可能であり且つ前記アッパーを緩められた状態に移動させるよう緩み方向に移動可能であるケーブルと、
当該履物物品と連結され、ハウジングを含み、前記緩み方向における前記ケーブルの移動を制限するようロック状態において動作可能であり、前記緩み方向における前記ケーブルの移動を許容するようロック解除状態において動作可能である、ケーブルロックとを含み、該ケーブルロックは、前記ハウジング内に配置される第１のプーリを含み、該第１のプーリは、該第１のプーリの外周部分に沿う前記ハウジングを通じる前記ケーブルの移動に応答して自由に回転するように位置付けられる、
履物物品。
【請求項２】
前記ケーブルは、前記締付方向において前記ケーブルを移動させるために第１の方向において前記アッパーから離れる方向に移動させられるように動作可能な制御部分を含む、請求項１に記載の履物物品。
【請求項３】
前記ケーブルロックは、前記制御部分から遠隔に配置される、請求項２に記載の履物物品。
【請求項４】
前記第１のプーリは、前記第１のプーリの回転軸から延びる複数の突起を含み、該突起は、前記複数の突起の隣接する突起の間に配置される開口を画定する、請求項１〜３のうちのいずれか１項に記載の履物物品。
【請求項５】
前記第１のプーリは、前記第１のプーリの外周の周囲に延在する溝を画定し、該溝は、前記ケーブルを内部に受け入れるように動作可能である、請求項４に記載の履物物品。
【請求項６】
前記溝は、前記第１のプーリの第１の側面と反対側の第２の側面の各々にある対応する突起の間に画定される、請求項５に記載の履物物品。
【請求項７】
前記ハウジングと連結され、前記第１のプーリが回転するときに前記複数の突起が断続的に係合するように動作可能な第１の端を有する、プロングを更に含む、請求項４に記載の履物物品。
【請求項８】
前記プロングは、前記ハウジングに取り付けられた第２の端を含み、該第１の端は、前記第１のプーリが回転するときに前記第２の端に対して移動する、請求項７に記載の履物物品。
【請求項９】
前記プロングは、前記ハウジングと一体的に形成される、請求項８に記載の履物物品。
【請求項１０】
前記プロングは、前記第２の端と前記第１の端との間に延びる第１の長さを有し、前記プロングは、前記第１の長さの一部に沿って平坦化されている、請求項８に記載の履物物品。
【請求項１１】
前記ケーブルロックは、前記ケーブルが前記締付方向において前記ハウジング内で前記ハウジングに対して並進させられるときに可聴フィードバック及び触覚フィードバックのうちの少なくとも１つを提供するように動作可能である第２のプーリを含み、該第２のプーリは、前記第１のプーリとは異なる前記ケーブルの部分と係合する、請求項１〜１０のうちのいずれか１項に記載の履物物品。
【請求項１２】
付勢バネが前記第１のプーリと前記第２のプーリとの間に延在し、該付勢バネの第１の端が前記ハウジングと連結され、該付勢バネの第２の端がスライドロック部材と連結される、請求項１１に記載の履物物品。
【請求項１３】
前記ハウジングは、左右対称である、請求項１〜１２のうちのいずれか１項に記載の履物物品。
【請求項１４】
前記ハウジングは、前記ハウジングの各々のそれぞれの隅に配置される孔を含み、前記ケーブルの一部分が、前記ハウジングの各々のそれぞれの隅に配置される各孔を通じて延びる、請求項１〜１３のうちのいずれか１項に記載の履物物品。
【請求項１５】
前記ケーブルは、前記ケーブルが前記第１のプーリの一部分の周りに延び且つ前記ハウジングにある孔を通じて延びるときに方向を変化させ、該方向の変化は、３５度よりも大きく、１２０度よりも小さい、請求項１〜１４のうちのいずれか１項に記載の履物物品。
【発明の詳細な説明】
【技術分野】
【０００１】
（関連出願の参照）
この出願は、２０１８年９月６日に出願された米国仮特許出願第６２／７２７，９１６に対する３５Ｕ．Ｓ．Ｃ．§１１９（ｅ）の下の優先権を主張する、２０１９年９月５日に出願された米国非仮特許出願第１６／５６１，３２３に対する優先権を主張し、それらの開示の全体を参照により本明細書に援用する。
【０００２】
本開示は、一般的に、締め付けられた状態と緩められた状態との間で履物を移動させるための動的レースシステム(dynamic  lacing  system)を有する履物物品(articles  of  footwear)に関する。
【背景技術】
【０００３】
本セクションは、必ずしも先行技術ではない本開示に関する背景情報を提供する。
【０００４】
履物の物品は、従来、アッパーと、ソール構造とを含む。アッパーは、ソール構造上で足を受け、固定し且つ支持するために、任意の適切な（複数の）材料から形成されることがある。足の底面に近接するアッパーの底部分は、ソール構造に付着する。ソール構造は、一般に、地面との牽引及び耐摩耗性を提供するアウトソール(本底)と足のためのクッションを提供するためにアウトソールとアッパーとの間に配置されるミッドソール(中底)との間に延在する層状構成を含む。
【０００５】
アッパーは、レース、ストラップ、又は他の締結具と協働して、足の周りのアッパーのフィット(適合)を調整することがある。例えば、レースを締め付けて足の周りでアッパーを閉じ、足の周りでアッパーの所望のフィットがひとたび得られたら、結び付けてよい。レースを結び付けるたびに、アッパーが足の周りで緩すぎたりきつすぎたりしないように注意が必要である。その上、履物の着用中にレースが緩んだり解れたりすることがある。フック及びループファスナのような締結具は、従来のレースよりも操作が容易且つ迅速であるが、これらの締結具は、時間の経過と共に摩耗する傾向があり、アッパーを足に固定するときに所望の張力を得るためにより多くの注意を必要とする。
【０００６】
知られている締め付けシステムは、典型的には、足の周りでアッパーを閉じるためにアッパーと相互作用する１つ以上のケーブルに張力を加えるよう操作されることができる、回転可能なノブのような、締め付け機構を含む。これらの締め付けシステムは、足の周りでのアッパーの所望のフィットを達成するために１つ以上のケーブルの張力の大きさを増分的に増加させることができるが、それらは足の周りでアッパーを固定するためにケーブルを適切に張力付けるために締め付け機構を操作するという時間のかかる作業を必要とし、履物を足から取り外すことが望まれるときに、着用者は、解放機構を押すと同時に、ケーブルの張力を解放するために足からアッパーを引き離す必要がある。よって、知られている締め付けシステムは、足の周りでアッパーを閉じるためにケーブルの張力を迅速に調整すること、及び足から履物を取り外すためにアッパーを迅速に緩めることができるようケーブルに加えられる張力を迅速に解放することの両方のための、適切な装備を欠いている。その上、これらの知られている締め付けシステムによって利用される締め付け機構は、足の周りでのアッパーのフィットを調整するために締め付け機構が着用者にアクセス可能であり、それによって履物の一般的な外観及び美観を損なうように、アッパーの外側に組み込まれる必要がある。
【発明の概要】
【０００７】
本明細書に記載される図面は、選択された構成を例示する目的のものであるにすぎず、本開示の範囲を限定することを意図するものではない。
【図面の簡単な説明】
【０００８】
【図１】本開示の原理に従ったケーブルの移動を制限するロック状態とケーブルの移動を許容するロック解除状態との間で移動可能なロックデバイスを有する履物物品の側面図である
【０００９】
【図２】ケーブルが締め付け方向に移動するときにアッパーを緩められた状態から締め付けられた状態に移動させるように動作可能な横方向レースセグメント及び内側レースセグメントを有するケーブルを示す、図１の履物物品の頂面斜視図である。
【００１０】
【図２Ａ】図２の断面線２Ａ−２Ａで取られた、本開示の原理に従ったケーブルガイドの断面図である。
【００１１】
【図２Ｂ】図２の領域２Ｂで取られた、本開示の原理に従ったケーブルガイドの拡大図である。
【００１２】
【図３】ストロベルの底面に配置されたロックデバイスを露出させるようアッパーから取り外されたソール構造を示す図１の履物物品の底部斜視図である。
【００１３】
【図４】ロックデバイスをロック状態からアッパーを緩められた状態から締め付けられた状態に移行させるよう動作可能な制御部分と実質的に整列させられたロック解除状態に移行させるように動作可能な緩めグリップを示す、図１の履物物品の代替的な図である。
【００１４】
【図５】緩められた状態にある間の図１の履物物品のアッパーのパターンの頂面図である。
【００１５】
【図６】締め付けられた状態にある間の図１の履物物品のアッパーのパターンの頂面図である。
【００１６】
【図７】ロックデバイスを受け入れること及びミッドソールを通じた張力ケーブルの経路指定のためにミッドソールを通じて形成された空洞及び複数の通路を示す、図１の履物物品のミッドソールの底面図である。
【００１７】
【図８】本開示の原理に従ったロックデバイス及びケーブルの斜視図である。
【００１８】
【図９】ロックデバイスのハウジング及びロック部材を示す、図８のロックデバイスの分解図である。
【００１９】
【図１０】ロック部材がロック位置にあるときのハウジング内にスライド可能に配置されたロック部材を露出するために取り外された蓋を有するハウジングを示す、図８のロックデバイスの頂面図である。
【００２０】
【図１１】ロック部材がロック解除位置にあるときのハウジング内にスライド可能に配置されたロック部材を露出するために取り外された蓋を有するハウジングを示す、図８のロックデバイスの頂面図である。
【００２１】
【図１２】図１０の断面線１２−１２に沿って取られた、ロックデバイスのプロングとプーリとの間のインターフェースを示す、図８のロックデバイスの断面図である。
【００２２】
【図１３】ハウジングがロックデバイスのプーリとインターフェース接続するためのプロングを含む、図８のロックデバイスのハウジングの斜視図である。
【００２３】
【図１４】図１３のプロングがない図８のロックデバイスのハウジングの別の例の斜視図である。
【００２４】
【図１５】図８のロックデバイスのプーリの斜視図である。
【００２５】
【図１６】履物物品の踵領域の後方端で図８のロックデバイスを組み込んだ履物物品の後方斜視図である。
【００２６】
【図１７】履物物品の内側の踵領域で図８のロックデバイスを組み込んだ履物物品の後方斜視図である。
【００２７】
【図１８】履物物品の爪革領域で図８のロックデバイスを組み込んだ履物物品の頂面図である。
【発明を実施するための形態】
【００２８】
対応する参照番号は、図面を通じて対応する部分を示す。
【００２９】
以下、添付の図面を参照して、例示的な構成をより完全に記載する。例示的な構成は、この開示が徹底的であり、当業者に本開示の範囲を完全に伝えるように、提供される。本開示の構成の徹底的な理解のために、特定の構成要素、デバイス、及び方法の例のような、特定の詳細が記載される。特定の詳細が利用される必要がないこと、例示的な構成が多くの異なる形態で具現されてよいこと、並びに特定の詳細及び例示的な構成が本開示の範囲を限定するものと解釈されるべきではないことが、当業者に明らかであろう。
【００３０】
本明細書で使用される用語法は、特定の例示的な構成を記載する目的のためだけのものであり、限定的であることを意図しない。本明細書で使用するとき、単数形の表現は、文脈が他のことを明確に示していない限り、複数の形態も含むことが意図されることがある。「含む(comprises)」、「含む(comprising)」、「含む(including)」及び「有する(having)」という用語は、包括的であり、従って、構成、ステップ、動作、要素、及び／又は構成要素の存在を特定するが、１つ以上の他の構成、ステップ、動作、要素、構成要素、及び／又はそれらの群の存在又は追加を排除しない。本明細書に記載する方法ステップ、プロセス、及び動作は、性能の順序として特別に特定されない限り、議論される或いは図示される特定の順序でそれらの性能を必ず必要とすると解釈されるべきでない。追加又は代替のステップが利用されてよい。
【００３１】
ある要素又は層が、別の要素又は層「の上にある」、「に係合される」、「に接続される」、「に取り付けられる」、或いは「に連結される」と称されるとき、それは、他の要素又は層の直ぐ上にあってよく、他の要素に直接的に係合されてよく、接続されてよく、取り付けられてよく、或いは連結されてよく、或いは、介在する要素又は層が存在してよい。対照的に、ある要素が別の要素又は層「の直ぐ上にある」、「直接的に係合される」、「直接的に接続される」、「直接的に取り付けられる」、或いは「直接的に連結される」と称されるとき、介在する要素又は層は存在しないことがある。要素間の関係を記載するために使用される他の語は、同様の方法（例えば、「〜の間」対「直接的に〜の間」、「隣接」対「直ぐ隣接」など）で解釈されるべきである。本明細書で使用するとき、「及び／又は」という用語は、関連させられて列挙される品目の１つ以上の品目のありとあらゆる組み合わせを含む。
【００３２】
第１、第２、第３などの用語は、様々な要素、構成要素、領域、層、及び／又は区画を記載するために本明細書で使用されることがある。これらの要素、構成要素、領域、層及び／又は区画は、これらの用語によって限定されてはならない。これらの用語は、１つの要素、構成要素、領域、層又は区画を別の領域、層又は区画から区別するために使用されるにすぎないことがある。「第１」、「第２」のような用語、及び他の数値用語は、文脈によって明確に示されない限り、シーケンス又は順序を暗示しない。よって、以下に議論する第１の要素、構成要素、領域、層又は区画は、例示的な構成の教示から逸脱することなく、第２の要素、構成要素、領域、層又は区画と称されることができる。
【００３３】
本開示の１つの態様は、履物物品(article  of  footwear)を提供する。履物物品は、内部空隙を画定するアッパー(upper)と、アッパーを締め付けられた状態に移動させるよう締め付け方向に移動可能であり、アッパーを緩められた状態に移動させるよう緩み方向に移動可能である、ケーブルとを含む。履物物品は、履物物品と連結され、ハウジングを含み、緩み方向へのケーブルの移動を制限するロック状態において動作可能であり且つ緩み方向へのケーブルの移動を許容するロック解除状態において動作可能である、ケーブルロックも含む。ケーブルロックは、ハウジング内に配置される第１のプーリを含み、第１のプーリは、第１のプーリの外周部分に沿うハウジングを通じるケーブルの移動に応答して自由に回転するように位置付けられる。
【００３４】
本開示の実装は、以下の任意的な構成のうちの１つ以上を含んでよい。幾つかの実装において、ケーブルは、ケーブルを締め付け方向に移動させるために第１の方向においてアッパーから離れる方向に移動させられるよう動作可能な制御部分を含む。ここで、ケーブルロックは、制御部分から遠隔に配置されてよい。
【００３５】
幾つかの例において、第１のプーリは、第１のプーリの回転軸から延びる複数の突起(protrusions)を含み、突起は、複数の突起の隣接する突起の間に配置される開口を画定する。第１のプーリは、第１のプーリの外周の周りに延在する溝を画定してよく、溝は、その中にケーブルを収容するように動作可能である。ここで、溝は、第１のプーリの第１の側面及び対向する第２の側面の各々にある対応する突起の間に画定されてよい。任意的に、履物物品は、ハウジングに連結され、第１のプーリが回転するときに複数の突起に断続的に係合するように動作可能な第１の端を有する、プロング(prong)を含んでもよい。ここで、プロングは、ハウジングに取り付けられる第２の端を含んでよく、第１の端は、第１のプーリが回転するときに、第２の端に対して移動する。プロングは、ハウジングと一体的に形成されてよい。追加的に又は代替的に、プロングは、第２の端と第１の端との間に延びる第１の長さを有してよく、プロングは、第１の長さの一部に沿って平坦化される。
【００３６】
幾つかの構成において、ケーブルロックは、ケーブルがハウジングに対してハウジング内で締め付け方向に並進させられるときに可聴フィードバック及び触覚フィードバックのうちの少なくとも１つを提供するように動作可能な第２のプーリを含み、第２のプーリは、第１のプーリとは異なるケーブルの部分に係合する。ここでは、付勢バネが第１のプーリと第２のプーリとの間に延在してよく、付勢バネの第１の端がハウジングに連結され、付勢バネの第２の端がスライドロック部材と連結される。追加的に又は代替的に、ハウジングは、細長くてよく、長手方向の中線(midline)を有してよく、第１のプーリは、第２のプーリに対してハウジングの長手方向の中線の反対側に配置されてよく、第１のプーリ及び第２のプーリの両方は、ハウジングの第１の端に隣接して配置されてよい。
【００３７】
幾つかの実装において、ハウジングは、第１の平面的な外面と、対向する第２の平面的な外面とを有し、第１の平面的な外面と第２の平面的な外面との間の最大厚さは、０．６ｃｍ〜１．２ｃｍの範囲内である。ハウジングは、左右対称であってよい。任意的に、ハウジングは、丸みを帯びた長方形として成形されてよい。ハウジングが丸みを帯びた長方形として成形されるとき、履物物品は、ハウジングの各々のそれぞれの隅に配置される孔を更に含んでよい。ここでは、ケーブルの一部分がハウジングの各々のそれぞれの隅に配置される各孔を通じて延びてよい。
【００３８】
幾つかの例において、ハウジングは、剛的である。他の例において、ハウジングは、ハウジングの周縁に隣接して配置され、締結具の挿入を受け入れるように構成された、１つ以上の孔を含む。この例において、締結具は、糸、フィラメント、ストラップ、リベット、ボルト、ネジ、フック、及びロッドからなる群から選択される１つ以上のものである。
【００３９】
幾つかの構成において、ケーブルは、第１のプーリの一部の周りに延び、ハウジングの孔を通じて延びるにつれて、方向を変え、方向の変化は、３５度よりも大きく、１２０度よりも小さい。履物物品は、ハウジングの内面から延びるシャフトを含んでもよく、第１のプーリは、シャフトに取り付けられ、シャフトの周りで回転可能である。ケーブルは、張力の下にあるときに、ハウジングの孔を通じて、第１のプーリの外周部分に対して接線方向に第１のプーリから延びる。
【００４０】
本開示の別の態様は、履物物品を提供する。履物物品は、内部空隙を画定するアッパーを含む。履物物品は、アッパーを締め付けられた状態に移動させるよう締め付け方向に移動可能であり、且つアッパーを緩められた状態に移動させるよう緩み方向に移動可能である、ケーブルも含む。履物物品は、更に、ハウジングを含み、緩み方向へのケーブルの移動を制限するようロック状態において動作可能であり、且つ緩み方向へのケーブルの移動を許容するようロック解除状態において動作可能である、ケーブルロックを含む。ケーブルロックは、ケーブルの異なる部分を受け、ケーブルがハウジング内でハウジングに対して並進させられるときにハウジングに対して回転するように動作可能である、第１のプーリ及び第２のプーリを含む。
【００４１】
本開示の実装は、以下の任意的な構成のうちの１つ以上を含んでよい。幾つかの例において、ケーブルは、ケーブルを締め付け方向に移動させるよう第１の方向においてアッパーから離れる方向に動作可能な制御部分を含む。ここで、ケーブルロックは、制御部分から遠隔に配置されてよい。別の例において、第１のプーリ及び第２のプーリは、締め付け方向において第１の距離だけケーブルの移動に対応する増分フィードバックを提供するように構成される。
【００４２】
幾つかの実施態様において、第１のプーリ及び第２のプーリの少なくとも一方は、第１のプーリ及び第２のプーリの少なくとも一方の回転軸から延びる複数の突起を含み、突起は、複数の突起の隣接する突起間に配置される開口を画定する。ここで、第１のプーリ及び第２のプーリのうちの少なくとも１つは、第１のプーリ及び第２のプーリの少なくとも一方の外周の周りに延在する溝を画定してよく、溝は、その中にケーブルを収容するように動作可能である。任意的に、履物物品は、ケーブルが締め付け方向に移動させられるときに複数の突起に断続的に係合するように動作可能な第１の端を有するプロングを含んでよい。ここで、プロングは、ハウジングに取り付けられる第２の端を含んでよく、第１の端は、ケーブルが締め付け方向に移動させられたときに、第２の端に対して移動する。プロングは、ハウジングと一体的に形成されてよい。幾つかの例において、第１のプーリ及び第２のプーリは、ケーブルがハウジング内でハウジングに対して締め付け方向に並進させられるときに可聴フィードバック及び触覚フィードバックのうちの少なくとも１つを提供するように動作可能である。
【００４３】
本開示の別の態様は、ケーブルのためのケーブルロックを提供する。ケーブルロックは、ハウジングを含み、ハウジングは、第１の端と、第１の端とは反対のハウジングの端に配置された第２の端とを有する。ケーブルロックは、ハウジングによって回転可能に支持され、第１の端及び第２の端の一方に近接して配置される、第１のプーリも含む。第１のプーリは、第１のプーリの外周部分に沿ってハウジングを通じるケーブルの移動に応答して自由に回転するように動作可能である。ケーブルロックは、ハウジングによって回転可能に支持され、第１の端及び第２の端の一方に近接して配置される、第２のプーリを含む。第２のプーリは、第２のプーリの外周部分に沿ってハウジングを通じるケーブルの移動に応答して自由に回転するように動作可能である。ケーブルロックは、ハウジング内にスライド可能に配置され、ハウジングに対して第１の方向におけるケーブルの移動を制限するよう動作可能なロック状態と、ハウジングに対して第１の方向におけるケーブルの移動を許容するよう動作可能なロック解除状態との間で移動可能である、ロック部材も含む。ロック部材は、第１のプーリ及び第２のプーリよりもハウジングの第１の端及び第２の端の他方に近接して配置される。
【００４４】
本開示の実装は、以下の構成の１つ以上を含んでよい。幾つかの構成において、第１のプーリ及び第２のプーリは、それぞれ、第１のプーリ及び第２のプーリの回転軸から延びる複数の突起を含み、突起は、複数の突起の隣接する突起間に配置された開口を画定する。ここで、第１のプーリは、第１のプーリの外周の周りに延在する第１の溝を画定してよく、第２のプーリは、第２のプーリの外周の周りに延在する第２の溝を画定してよく、第１の溝及び第２の溝は、ケーブルをその中に収容するよう動作可能である。任意的に、第１の溝は、第１のプーリの第１の側面及び対向する第２の側面の各々にある対応する突起の間に画定されてよく、第２の溝は、第２のプーリの第１の側面及び対向する第２の側面の各々にある対応する突起の間に画定されてよい。この構成において、ケーブルロックは、ハウジングに連結され、第１のプーリが回転するときに複数の突起に断続的に係合するよう動作可能な第１の端を有する、第１のプロングと、ハウジングに連結され、第２のプーリが回転するときに複数の突起に断続的に係合するよう動作可能な第１の端を有する、第２のプロングとを含んでもよい。第１のプロング及び第２のプロングは、それぞれ、ハウジングに取り付けられる第２の端を含んでよく、第１の端は、第１のプーリ及び第２のプーリが回転するときに、第２の端に対して弾性的に偏向する。第１のプロング及び第２のプロングは、ハウジングと一体的に形成されてよい。追加的に又は代替的に、第１のプロング及び第２のプロングは、それぞれ、第２の端と第１の端との間に延びる第１の長さを有してよく、第１のプロング及び第２のプロングは、第１の長さの一部に沿って平坦化されてよい。
【００４５】
幾つかの例において、第１のプーリ及び第２のプーリの一方又は両方は、ケーブルがハウジング内でハウジングに対して並進させられることに応答して回転させられるときに可聴フィードバック及び触覚フィードバックのうちの少なくとも１つを提供するよう動作可能であり、第２のプーリは、第１のプーリとは異なるケーブルの部分又は異なるケーブルと係合する。ケーブルロックは、第１のプーリと第２のプーリとの間に延在する付勢バネを含み、付勢バネの第１の端がハウジングに連結され、付勢バネの第２の端がロック部材に連結される。
【００４６】
幾つかの実装において、ハウジングは細長く、長手方向の中線を有し、第１のプーリは、第２のプーリに対してハウジングの長手方向の中線の反対側に配置される。任意的に、ハウジングは、第１の平面的な外面と対向する第２の平面的な外面とを有してよく、第１の平面的な外面と第２の平面的な外面との間の最大厚さは、０．６ｃｍ〜１．２ｃｍの範囲内である。追加的に又は代替的に、ハウジングは、左右対称であってよい。
【００４７】
幾つかの構成において、ハウジングは、丸みを帯びた長方形として成形される。ここで、ケーブルロックは、ハウジングの各々のそれぞれの隅に配置される孔を含んでもよい。ケーブルの一部分が、ハウジングの各々のそれぞれの隅に配置される各孔を通じて延びてよい。追加的に又は代替的に、ハウジングは、剛的であってよい。他の構成において、ハウジングは、ハウジングの周縁に隣接して配置され、締結具の挿入を受け入れるように構成される、１つ以上の孔を含む。ここで、締結具は、糸、フィラメント、ストラップ、リベット、ボルト、ネジ、フック、及びロッドからなる群から選択される１つ以上であってよい。
【００４８】
幾つかの例において、ケーブルは、第１のプーリの一部分の周りに延び、ハウジングの第１の孔を通じて延びるにつれて、方向を変え、第２のプーリの一部分の周りに延び、ハウジングの第２の孔を通じて延びるにつれて、方向を変え、方向の変化は、３５度よりも大きく、１２０度よりも小さい。ケーブルロックは、ハウジングの内面から延びる第１のシャフトと、ハウジングの内面から延びる第２のシャフトとを含んでよく、第１のプーリは、第１のシャフトの周りに取り付けられ、第１のシャフトの周りで回転可能であり、第２のプーリは、第２のシャフトの周りに取り付けられ、第２のシャフトの周りで回転可能である。
【００４９】
幾つかの実装において、ケーブルは、張力の下にあるときに、ハウジングの第１の孔を通じて第１のプーリの外周部分に対して接線方向に第１のプーリから延び、ハウジング内の第２の孔を通じて第２のプーリの外周部分に対して接線方向に第２のプーリから延びる。他の実装において、ロック部材は、互いに向かって収束する第１のロック面及び第２のロック面を含み、第１のロック面は、ロック状態においてハウジングの第１の係合面と第１のロック面との間でケーブルの第１の部分を狭窄(ピンチ)するよう動作可能であり、第２のロック面は、ハウジングに対する第１の方向へのケーブルの移動を制限するために、ロック状態においてハウジングの第２の係合面と第２のロック面との間でケーブルの第２の部分を狭窄(ピンチ)するよう動作可能である。
【００５０】
本開示の１つ以上の実装の詳細は、添付の図面及び以下の記述に記載される。他の態様、構成、及び利点は、本記述及び図面から並びに特許請求の範囲から明らかであろう。
【００５１】
図１〜図１８を参照すると、幾つかの実装において、履物物品１０(article  of  footwear)は、アッパー１００(upper)と、アッパー１００に取り付けられたソール構造２００(sole  structure)とを含む。履物物品１０は、更に、ロックデバイス又はケーブルロック３００と、アッパー１００及びソール構造２００のうちの少なくとも１つに一体化された締め付けシステム４００とを含む。締め付けシステム４００は、以下に詳述するように、履物物品１０を締め付けられた状態と緩められた状態との間で移動させるようロックデバイス３００と協働するケーブル４０２を含む。
【００５２】
以下により詳細に記載するように、ケーブル４０２は、履物物品１０を締め付けられた状態に移動させるよう締め付け方向ＤＴにおいて移動可能であり、履物物品１０を緩められた状態に移動させるよう緩み方向ＤＬにおいて移動可能である。幾つかの実装において、アッパー１００及びソール構造２００は、ロックデバイス３００を通じてケーブル４０２の一部分を経路指定する(routing)ための通路及びガイドを提供するように協働する。ロックデバイス３００は、締め付け状態においてケーブル４０２を選択的に固定するように構成される。
【００５３】
履物物品１０は、１つ以上の領域に分割されてよい。領域は、前足領域１２(forefoot  region)、中足領域１４(midfoot  region)、及び踵領域１６(heel  region)を含んでよい。前足領域１２は、足の中足骨を趾骨と接続する足指及び関節に対応してよい。中足領域１４は、足の土踏まず領域に対応してよく、踵領域１６は、踵骨を含む足の後方領域に対応してよい。履物１０は、履物１０の両側にそれぞれ対応し、領域１２、１４、１６を通じて延在する、外側側面１８(lateral  side)及び内側側面２０(medial  side)を含んでよい。
【００５４】
アッパー１００は、ソール構造２００で支持するために足を受け入れて固定するように構成された内部空隙１０２を画定する内部表面を含む。踵領域１６の足首開口１０４が、内部空隙１０２へのアクセスを提供してよい。例えば、足首開口１０４は、足を受け入れて足を空隙１０２内で固定し、内部空隙１０２への足の進入及び内部空隙１０２からの足の除去を容易にすることがある。アッパー１００は、外側側面１８と内側側面２０との間に延在し且つ内部空隙１０２を覆う、舌革部分１０６(tongue  portion)を含んでよい。
【００５５】
アッパー１００は、内部空隙１０２を形成するために互いに縫合又は接着される１つ以上の材料から形成されてよい。アッパーの適当な材料は、織物、フォーム、皮革、及び合成皮革を含むが、これらに限定されない。例示的なアッパー１００は、締め付けられた状態と緩められた状態との間のアッパー１００の移動を容易にするために、アッパー１００の異なる領域に配置される１つ以上の実質的に非弾性又は非伸縮性の材料と１つ以上の実質的に弾性又は伸縮性の材料との組み合わせから形成されてよい。
【００５６】
１つ以上の弾性材料は、非限定的に、スパンデックス（登録商標）、エラスタン(elastane)、ゴム又はネオプレンのような、１つ以上の弾性織物の任意の組み合わせを含んでよい。１つ以上の非弾性材料は、熱可塑性ポリウレタン、ナイロン、皮革、ビニル、又は弾性特性を付与しない別の材料／織物のうちの１つ以上のものの任意の組み合わせを含んでよい。例えば、アッパー１００の外側側面１８及び内側側面２０の一方又は両方は、１つ以上の弾性材料から形成された弾性領域１１０と、１つ以上の非弾性材料から形成された非弾性領域１１２とを含んでよい。図示の例において、非弾性領域１１２は、弾性領域１１０を取り囲んでいる。例えば、非弾性領域１１２は、外側側面１８及び内側側面２０の一方又は両方で前足領域１２から中足領域１４に延びる弾性領域１１０の上縁及び下縁を結合する上方非弾性領域１１２ａ及び下方非弾性領域１１２ｂを含んでよい。
【００５７】
幾つかの構成では、図２に示すように、甲領域１１４(instep  region)が１つ以上の弾性材料から形成され、アッパー１００に沿って舌革１０６から前足領域１２を通じて外側側面１８及び内側側面２０のそれぞれの上方非弾性領域１１２ａの間に延在する。従って、弾性の甲領域１１４は、アッパー１００の外側側面１８及び内側側面２０を分離する。他の構成において、弾性の甲領域１１４は省略され、非弾性の外側及び内側のアッパー非弾性領域１１２ａは協働して内部空隙１０２内の足の甲(instep)を覆う。幾つかの構成において、アッパー１００全体は、１つ以上の弾性材料から形成され、１つ以上の非弾性材料は、局所的な非弾性領域を画定するために、所定の場所で弾性材料に取り付けられる（例えば、結合される或いは締め付けられる）。
【００５８】
図２は、喉閉鎖部１１６(throat  closure)を含むアッパー１００を示す履物１０の頂面図であり、喉閉鎖部１１６は、甲領域１１４に対応し、外側側面１８及び内側側面２０の弾性領域１１０の間に延在する。幾つかの例において、アッパー１００の喉閉鎖部１１６は、１つ以上の非弾性材料から舌革部分１０６を一体的に形成する。よって、喉閉鎖部１１６は、内部空隙１０２の一部を画定することがあり、アッパー１００が締め付けられた状態又は緩められた状態のいずれかにあるときに、足をその中に閉じ込めることがある。
【００５９】
幾つかの実施態様において、ソール構造２００は、層状構成に配置されたミッドソール２１０(中底)(midsole)と、アウトソール２２０(外底)(outsole)とを含む。例えば、アウトソール２２０は、履物１０の使用中に地面と係合し、ミッドソール２１０は、アッパー１００とアウトソール２２０との間に配置される。幾つかの例において、ソール構造２００は、履物１０の快適性を高めるために足の足底面を受け入れるようアッパー１００の内部空隙１０２内に存在することがあるインソール(内底)(insole)又はソックライナ(中敷)(sockliner)のような追加的な層を含んでもよい。
【００６０】
ミッドソール２１０は、底面２１２と、底面２１２とは反対のミッドソール２１０の側に配置された頂面又はフットベッド２１４(足床)(foot  bed)とを含んでよい。幾つかの例では、ミッドソール２１０の側壁２１６が、下面２１２と上面２１４との間に延在する。縫合(stitching)又は接着剤が、ミッドソール２１０をアッパー１００に固定することがある。加えて、ミッドソール２１０は、図３に示すように、アッパー１００とミッドソール２１０との間に概ね配置されたストロベル２１８に取り付けられてよい。フットベッド２１４は、足の底面（例えば、足底）のプロファイルに適合するように輪郭付けられてよい。幾つかの例において、インソール又はソックライナは、アッパー１００の内部空隙１０２の少なくとも一部分内の足の下でフットベッド上に配置されてよい。
【００６１】
幾つかの例において、アウトソール２２０は、地面係合面２２２と、反対側の内面２２４とを含む。アウトソール２２０は、ミッドソール２１０を介してアッパー１００に取り付けられてよい。アウトソール２２０は、一般的に、地面との摩耗抵抗及び牽引を提供し、耐久性及び耐摩耗性を付与し且つ地面との牽引を高める１つ以上の材料から形成されてよい。例えば、ゴムが、アウトソール２２０の少なくとも一部分を形成してよい。
【００６２】
図１に示すように、ソール構造２００は、ロックデバイス３００をカプセル化するための空洞２３０と、ケーブル４０２を経路指定するためにミッドソール２１０を通じて形成された通路／チャネルとを含んでよい。図示の例において、空洞２３０は、ストロベル２１８に固定されたロックデバイス３００が空洞２３０内に存在するように、ミッドソール２１０のフットベッド２１４及び底面２１２を通じて形成される。他の構成は、底面２１２を通じて延びないでフットベッド２１４内に形成される空洞２３０を含んでよい。幾つかの例において、ミッドソール２１０は、ストロベル２１８にもアウトソール２２０の内面２２４にも結合されないのに対し、ロックデバイス３００は、ストロベル２１８の底面に付着／結合する。
【００６３】
以下に更に詳細に記載するように、アッパー１００及びソール構造２００は、ロックデバイス３００を履物物品１０に一体化するための複数の構成及び要素を含んで、ロックデバイス３００が履物物品１０を締め付けられた状態と緩められた状態との間で移動することを可能にしてよい。
【００６４】
図８及び図９に示すように、ロックデバイス３００は、ハウジング３０４とカバー３０６とを有する筐体３０２と、筐体３０２内に配置され且つケーブル４０２と選択的に係合するように構成されたロック部材又はロック３０８と、筐体３０２内に配置された１つ以上の回転ケーブルガイド３１０とを含む。以下に詳細に記載するように、幾つかの例において、回転ケーブルガイド３１０は、ケーブル４０２及び筐体３０２と協働して、ケーブル４０２がロックデバイス３００を通過するときに可聴フィードバック及び触覚フィードバックのうちの少なくとも１つを提供する。ロックデバイス３００は、係合された位置又はロックされた位置に向かってロック部材３０８を付勢するように構成された第１の付勢部材又はバネ３１２と、図５及び図６に関して以下に記載するように、ロック部材３０８を係合されていない位置又はロックされていない位置に保持するようハウジング３０４と協働するように構成された一対の第２の付勢部材又はバネ３１４とを更に含む。
【００６５】
図９〜図１３を引き続き参照すると、ハウジング３０４は、第１の端３１６と第２の端３１８との間に延びる長さを画定する。ハウジング３０４は、ベース部分３２０を含み、ベース部分３２０は、外面３２２と、外面３２２とは反対のベース部分３２０の側に形成されたケーブル受け入れ内面３２４とを有する。周壁３２６が、内面３２４から延び、ベース部分３２０及びカバー３０６と協働して、ケーブル４０２、ロック部材３０８、及びケーブルガイド３１０を受け入れるように構成された、筐体３０２の主空洞３２８を画定する。図示の例において、周壁３２６は、第１の端３１６及び第２の端３１８の各々に一対の端壁３２６ａを含み、端壁３２６ａの間に延在する対向する一対の側壁３２６ｂが、実質的に長方形のハウジングを画定する。他の例において、周壁３２６は、連続的であってよく、円形の筐体３０２の環状周壁を画定してよく、或いは、周壁３２６は、多数の切子面が作られて(multi-faceted)よく、多角形の筐体３０２を画定してよい。
【００６６】
側壁３２６は、主空洞３２８と筐体３０２の外部との間の通信を提供するために、側壁を通じて形成された複数のケーブル開口３３０を含んでよい。図示の例において、開口３３０は、ケーブル４０２の第１の端を受け入れるための第１の端３１６に近接した第１の対の開口３３０ａと、ケーブル４０２の第２の端を受け入れるための第２の端３１８に近接した第２の対の開口３３０ｂとを含む。図示した例の開口３３０ａ、３３０ｂは、筐体の隅を通じて形成されてるように示されているが、開口３３０ａ、３３０ｂは、端壁３２６ａ内に完全に形成されてよく、或いは側壁３２６ｂ内に完全に形成されてよい。
【００６７】
引き続きロックデバイス３００を参照すると、ハウジング３０４は、ロックチャネルがハウジング３０４の第２の端３１８に向かってテーパ状になった楔形の構成と関連付けられるように、互いに向かって収束する対向する一対のロック面又は係合面３３４によって画定されるロックチャネル３３２を含む。従って、係合面３３４は、ロックチャネル３３２を画定するよう、互いに向かって集束し且つベース部分３２０の内面３２４とカバー３０６との間に延在する、ハウジング３０４の対応する側壁によって画定される。以下に詳細に記載するように、係合面３３４は、ロック部材３０８と協働して、ケーブル４０２を固定する。
【００６８】
ハウジング３０４は、ケーブルガイド３１０によって受けられ、ケーブルガイドが同軸的に回転する心棒又はスピンドルとして作用するように構成された、１つ以上のシャフト３３６を更に含む。図１３に示すように、ハウジング３０４は、ロックチャネル３３２と第２の開口３３０ｂの各々との間にそれぞれ配置された一対のシャフト３３６を含む。従って、シャフト３３６は、図１０及び１１に示すように、ケーブル４０２がロックチャネル３３２と第２の開口３３０ｂとの間を通るときに、ケーブルガイド３１０がケーブル４０２に係合するように、ハウジング３０４内に位置付けられる。しかしながら、シャフト３３６は、ケーブルガイド３１０がケーブル４０２の経路に沿って配置されるように、ハウジング３０４の他の領域に位置付けられてよい。
【００６９】
引き続き図１３を参照すると、シャフト３３６の各々は、ベース部分３２０の内面３２４から第１の距離だけ突出し且つ第１の直径を有するショルダ部分３３８を含んでよい。シャフト３３６は、ショルダ部分３３８の遠位端から第２の距離だけ延び且つ第２の直径を有するネック部分３４０を更に含む。ショルダ部分３３８とネック部分３４０との間の直径の差は、図１２に示すように、ケーブルガイド３１０を回転可能に支持するための平面的な支承面３４１を画定する。ケーブルガイド３１０の１つを回転可能に受けるように構成された環状凹部３４２が、ベース部分３２０の内面３２４に形成され、シャフト３３６と同心である。従って、以下に議論するように、ケーブルガイド３１０は、ケーブル４０２がロックデバイス３００を通過するときに、凹部３４２内でシャフト３３６の周りで回転するように構成される。
【００７０】
図１４に示すように、ハウジング３０４は、ハウジング３０４に固定された第１の端３４６と、以下により詳細に記載するように、ケーブルガイド３１０と断続的に係合して、所定の距離だけハウジング３０４を通じるケーブル４０２の移動に対応する増分的な可聴出力を生成するように構成された、自由吊り下げ遠位端３４８とを有する、一対のプロング３４４を含んでよい。図示の例において、各プロング３４４の第１の端３４６は、ベース部分３２０の内面３２４から延びるボスの側部に取り付けられる。他の例において、プロング３４４は、ハウジング３０４のベース部分３２０又は側壁３２６の１つに直接的に取り付けられてよい。別の例において、ハウジング３０４、３０４ａは、図１５に示すように、プロングなしで形成されてよい。
【００７１】
各プロング３４４は、長手軸ＡＦに沿って第１の端３４６からシャフト３３６のそれぞれ１つに向かう方向に延びる。幾つかの例において、各プロング３４４の長手軸ＡＦは、シャフト３３６のそれぞれの１つのシャフトの中心軸ＡＳと交差する。プロング３４４は、プロング３４４の遠位端３４８が干渉位置とクリアランス位置との間で動作可能となるように、長手軸ＡＦに沿って弾性的に撓むように構成される。干渉位置において、プロング３４４の遠位端３４８は、ケーブルガイド３１０の外周の回転経路内に延在するのに対し、プロング３４４の遠位端３４８は、プロング３４４がクリアランス位置にあるときに、ケーブルガイド３１０の外周の外側に配置される。従って、ケーブル４０２がロックデバイス３００を通じて引かれると、ケーブルガイド３１０は、シャフト３３６について回転させられて、プロング３４４の遠位端３４８に断続的に係合し、それによって、可聴フィードバック及び触覚フィードバックをユーザに提供させて、ケーブル４０２の移動を示す。従って、プーリ３１０とプロング３４４との協働は、ロックデバイス３００のフィードバック機構３４９を画定することがある。上述のように、ハウジング３０４ａは、図１４に示すように、プロングなしで形成されてよい。ハウジング３０４ａがプロングを備えずに形成されるとき、プーリ３１０は、ユーザにフィードバックを提供することなく、ハウジング内で自由に回転することがある。
【００７２】
図１０及び図１３を参照すると、ハウジング３０４は、図１３に示すように、ロック部材３０８と選択的に係合してロック部材３０８をロック解除位置に固定するように構成された一対の保持構成３５０を含む。ハウジング３０４に関連する保持構成３５０は、ハウジング３０４の両側に配置された第１の保持構成３５０及び第２の保持構成３５０を含んでよく、それによって、保持構成３５０は、第２の付勢部材３１４によってロック部材３０８に向かって内方に付勢される。図示の例において、保持構成３５０は、それぞれ、係合部材３０８がそれらの間を通るのを可能にするために、保持構成３５０が係合状態と係合解除状態との間で移動可能な一体ヒンジ(リビングヒンジ)(living  hinges)として作用するように、ハウジング３０４と一体的に形成された可撓性タブ３５２を含む。従って、各タブ３５２は、長手軸ＡＴに沿って固定された第１の端３５４から分離された遠位端３５６まで延在する。図示のように、各タブ３５２の遠位端３５６は、ロックチャネル３３２とハウジング３０４の第１の端３１６にある開口３３０ａとの間のケーブル４０２の経路を部分的に画定してよい。従って、遠位端３５６は、ケーブル４０２がロックチャネル３３２と第１の開口３３０ａのそれぞれの１つとの間を通る凸状の内側ガイド面３５８を含んでよい。
【００７３】
保持構成３５０の各々は、タブ３５２の遠位端３５６からロックチャネル３３２内に横方向に延びる突起３６０を更に含む。突起３６０の幅は、突起３６０が、ハウジング３０４の第１の端３１６に面する保持面３６２と、保持面３６２とは反対の突起３６０の側に形成された付勢面３６４とを含むように、第１の端３１６から第２の端３１８への方向に沿ってテーパ状になってもよい。保持面３６２及び付勢面３６４の各々は、ハウジング３０４の長手軸ＡＨに対して斜角に形成されてよい。しかしながら、長手軸ＡＨに対する保持面３６２の角度は、保持面３６２が、第１の端３１６（すなわち、ロック解除状態）に向かうよりも第２の端３１８（すなわち、ロック状態）に向かうロック部材３０８の移動に対してより大きな抵抗を提供するよう構成されるように、付勢面３６４の角度よりも大きくてよい。図示の例において、突起３６０は、タブ３５２の遠位端３５６から離間し、遠位端３５６と協働して、ケーブル４０２をロックチャネル３３２から第１の開口３３０ａのうちの１つに案内するためのトラック３６６又は通路を画定する。
【００７４】
図９〜図１１を引き続き参照すると、ロックデバイス３００は、遠位端３５６を付勢し、その結果、保持構成３５０の突起３６０をロックチャネル３３２に向かって内方に付勢するように構成された、一対の第２の付勢部材３１４を含む。図示の例において、付勢部材３１４は、タブ３５２の遠位端３５６に連続的な付勢力ＦＢを加える圧縮バネである。他の例において、付勢力ＦＢは、張力バネ、コイルバネのような、他のタイプの付勢部材３１４によって、或いは、タブ３５２の第１の端３５４を弾性的な一体ヒンジとして形成することによって、加えられてよい。
【００７５】
図１０及び図１１を参照すると、ロック部材３０８は、ハウジング３０４のロックチャネル３３２内にスライド可能に受け入れられるように構成される。上述のように、ロック部材３０８は、ケーブル４０２を選択的にロックするために、ロック状態とロック解除状態との間で動作可能である。ロック部材３０８は、第１の端３６８と、第２の端３７０と、第１の端３６８と第２の端３７０との間のロック部材の両側に形成された一対のロック面３７２とを含む。幾つかの例において、ロック面３７２は、ロック部材３０８がロックチャネル３３２内に配置されるときに、ロック面３７２がハウジング３０４の係合面３３４のそれぞれ１つに平行であるように、第１の端３６８から第２の端３７０への方向に沿って互いに集束する。図示の例において、ロック面３７２は、ロック部材３０８がロック状態にあるときにケーブル４０２を把持することによって、ケーブル４０２によるハウジング３０４の第２の端３１８に向かう移動を制限しながら、ケーブル４０２によるハウジング３０４の第１の端３１６に向かう移動を許容するように構成された、突起又は歯３７３を含む。
【００７６】
ロック部材３０８の第１の端３６８は、そこから外方に延びるフレア状の突出部３７６を有するタブ部分３７４と、突出部３７６とロック面３７２との間に形成された一対の戻止め３７８とを含んでよい。一般的に、突出部３７６は、ロック部材３０８の第１の端３６８に面する付勢面３８０と、付勢面３８０とは反対方向に面する保持面３８２とを含む。保持面３８２は、戻止め３７８の一部分を画定する。突出部３７６の付勢面３８０は、ロック部材３０８がハウジング３０４の第１の端３１６に向かって移動させられるときに、突出部３７６が突起３６０の間を通るにつれて、突起３６０を互いに離間させて広げるよう、保持構成３５０の付勢面３６４とインターフェース接続するように構成される。突出部３７６の保持面３８２は、図１３に示すように、ロック部材３０８をロック解除状態において固定するために、保持構成３５０の保持面３６２とインターフェース接続するように構成される。
【００７７】
図９〜図１１を引き続き参照すると、ロック部材３０８は、第２の端３７０に取り付けられた第１の付勢部材３１２と、第１の端３６８に取り付けられた解放コード３８４とを含む。図示のように、第１の付勢部材３１２は、ロック部材３０８の第２の端３７０に取り付けられた第１の端と、ハウジング３０４の第２の端３１８に取り付けられた第２の端とを有する、引張バネである。従って、第１の付勢部材３１２は、ロック部材３０８をロック状態に付勢するために、ロック部材３０８に連続的な係合力ＦＥを適用するように構成される。逆に、解放コード３８４は、ロック部材３０８の第１の端３６８でタブ３７４に取り付けられ、選択的に適用される解放力ＦＲをロック部材３０８の第１の端３６８に伝達するように構成される。以下で議論するように、解放力ＦＲが係合力ＦＥよりも大きいとき、ロック部材３０８は、ロック状態からロック解除状態に向かって移動する。
【００７８】
図１０は、ロック状態にある間にハウジング３０４のロックチャネル３３２内に配置されるロック部材３０８を示すために、カバー３０６が取り外された、ロックデバイス３００の頂面図を提供する。幾つかの例において、ロック部材３０８は、第１の付勢部材３１２によってロック状態に付勢される。例えば、図１０は、ロック部材３０８に係合力ＦＥを加えて、ロック部材３０８の第２の端３７０をハウジング３０４の第２の端３１８に向かって付勢し、それによって、ロック部材３０８をロック状態に付勢する、第１の付勢部材３１２を示している。ロック状態にある間に、ロック部材３０８は、係合面３３４とロック面３７２との間でケーブル４０２のロック部分４１０ａ、４１０ｂをピンチする(挟んで締め付ける)ことによって、ハウジング３０４に対するケーブル４０２の移動を制限する。従って、ロック部材３０８のロック状態は、緩め力ＦＬが緩みグリップ１１８に適用されるときに、ケーブル４０２が緩み方向ＤＬに移動するのを制限する。図示の例において、ロック部材３０８は、締付力ＦＴ(tightening  force)がケーブル４０２に適用されるときに、ケーブル４０２の移動を許容する。何故ならば、この方向は、概ね楔形状のロック部材３０８の故に、ケーブル４０２に、固定部材３０８に対する力を適用させ、それによって、ロック部材３０８をロック解除状態に移動させるからである。ロック部材３０８は、ケーブル４０２に適用される力が、付勢部材３１２によってロック部材３０８に付与される力の故にひとたび解放されると、自動的にロック状態に戻る。
【００７９】
図１１は、ロック解除位置にある間にハウジング３０４のロックチャネル３３２内に配置されるロック部材３０８を示すためにカバー３０６が取り外された、ロックデバイス３００の頂面図である。幾つかの例においてロック部材３０８のタブ３７４に取り付けられた解放コード３８４は、ロック部材３０８に解放力ＦＲを適用して、ロック部材３０８を係合面３３４から離れるよう移動させる。ここで、解放力ＦＲは、ロック面３７２と係合面３３４との間のケーブル４０２のロック部分４１０ａ、４１０ｂに対するピンチングが解放されるように、第１の付勢部材３１２の係合力ＦＥに打ち勝って、ロック部材３０８がハウジング３０４に対して移動することを許容するのに十分である。幾つかの例において、係合力ＦＥは、解放コード３８４によって加えられる解放力ＦＲが除去されるときに、ロック部材３０８をロック位置に移行させて戻す。
【００８０】
ロック解除状態にある間に、ロック部材３０８は、ケーブル４０２のロック部分４１０ａ、４１０ｂがそれぞれのロック面３７２と係合面３３４との間を自由に移動できるようにすることによって、ハウジング３０４に対するケーブル４０２の移動を許容する。ロック部材３０８のロック解除状態は、引張力ＦＴ、ＦＬ(pulling  forces)が制御部分４０６(control  portion)及び締付部分４０８(fastening  portion)のそれぞれに加えられるときに、締付方向ＤＴ(tightening  direction)及び緩み方向ＤＬ(loosening  direction)の両方におけるケーブル４０２の移動を許容する。締付方向ＤＴにおけるケーブル４０２の移動は、締付部分４０８の有効長を減少させて、アッパー１００の弾性領域１１０を収縮させ、それによって、足の周囲の内部空隙１０２を閉じるためにアッパー１００を締付状態に移動させる一方で、緩み方向ＤＬにおけるケーブル４０２の移動は、締付部分４０８の有効長を増加させて、弾性領域１１０がそれらの平坦で緩められた状態に戻ることを可能にし、それによって、図５及び図６に示すように、足を内部空隙１０２から除去し得るように、締め付けられた状態から緩められた状態へのアッパー１００の移行を容易にする。
【００８１】
幾つかの例では、ロック部材３０８がハウジング３０４に対して係合面３３４から離れてハウジング３０４の第１の端３１６に向かって移動するように、解放コード３８４に加えられる解放力ＦＲの十分な大きさ及び／又は持続時間が、解放コード３８４に、係合力ＦＥの方向とは反対の方向においてロック部材３０８に対して解放力ＦＲを加えさせる。ハウジング３０４の保持構成３５０のうちの少なくとも１つは、図１３に示すように、解放力ＦＲがロック部材３０８をハウジング３０４の係合面３３４から所定の距離だけ離れて移動させるときに、ロック部材３０８の戻止め３７８と係合してよい。ここで、ロック部材３０８の戻止め３７８とハウジング３０４の少なくとも１つの保持構成３５０との係合は、解放力ＦＲがひとたび解放されると、ロック部材３０８をロック解除位置に維持する。第１の付勢部材３１２の係合力ＦＥ及び一対の第２の付勢部材３１４によって保持構成３５０に加えられる力は、ロック部材３０８が所定の距離を移動して、解放力ＦＲがもはや加えられなくなった後に、保持構成３５０の突起３６０をロックしてロック部材３０８の戻止め３７８と係合させる。
【００８２】
幾つかのシナリオでは、第１の大きさに関連する解放力ＦＲを解放コード３８４に加えて、保持構成３５０が係合しないように所定の距離より短い距離だけロック部材３０８を係合面３３４から離れる方向に移動させてよい。これらのシナリオでは、足の周囲の内部空隙１０２のフィットを調整するために、ケーブル４０２を（例えば、緩み力ＦＬを緩みグリップ１１８に加えることによって）緩み方向ＤＬに或いは（例えば、締付力ＦＴを制御部分４０６に加えることによって）締付方向ＤＴに移動させることが望ましいときに、第１の大きさに関連する解放力ＦＲを維持することができる。足の周囲の内部空隙１０２の所望のフィットがひとたび達成されると、解放力ＦＲを解放して、ロック部材３０８をロック位置に移行させて戻すことができるので、ケーブル４０２の移動が緩み方向ＤＬにおいて制限され、所望のフィットが維持されることができる。ロック部材３０８がロック位置にあるときでさえも、ケーブル４０２を締付方向ＤＴに移動させ得ることが留意されるべきである。よって、ひとたび緩め力ＦＬが解放され、所望のフィットが達成されると、ロック部材３０８は、ハウジング３０４に対するケーブル４０２の位置をロックすることによって、所望のフィットを自動的に維持する。
【００８３】
他のシナリオでは、第１の大きさよりも大きい第２の大きさに関連する解放力ＦＲを解放コード３８４に適用して、係合面３３４から所定の距離だけロック部材３０８を移動させて、対応する保持構成３５０を戻止め３７８と係合させることができる。保持構成３５０の係合は、解放コード３８４が所定の距離だけ引っ張られるときに、ロック部材３０８が第２の付勢部材３１４によって付与される付勢力ＦＢに対して保持構成３５０をより容易に動かすことを可能にするよう、ロック部材３０８に対向するテーパ付きの付勢面３６４を保持構成３５０の突起３６０に設けることによって容易にされる。これらのシナリオにおいて、対応する保持構成３５０と戻止め３７８との間の係合は、解放力ＦＲが解放されるときに、ロック部材３０８をロック解除位置に維持する。
【００８４】
ロック部材３０８は、締付力ＦＴが制御部分４０６に適用されると、ロック位置に戻される。すなわち、締付力ＦＴが制御部分４０６に適用されると、外側制御部分４０６ａ及び内側制御部分４０６ｂは、張力の下に置かれ、次に、それは、図１０に示すように、外側制御部分４０６ａ及び内側制御部分４０６ｂが第１の開口３３０ａを通過するときに、保持構成３５０のタブ３５２の遠位端３５６を介して第２の付勢部材３１４に力を加える。そうする際に、保持構成３５０の遠位端３５６は、第２の付勢部材３１４を圧縮し、そのようにして、保持構成３５０の突起３６０を互いに離れる方向に移動させ、ロック部材３０８の戻止め３７８をロック解除させ、それによって、第１の付勢部材３１２がロック部材３０８をロック位置に戻すことを可能にする。
【００８５】
図９〜図１２を参照すると、ケーブルガイド３１０は、ハウジング３０４のシャフト３３６に回転可能に連結されたプーリ３１０であることができる。図１５に示すように、各プーリ３１０は、上面３８６と、プーリ３１０の厚さを画定する下面３８８と、プーリ３１０の厚さを通じて延在し且つハウジング３０４のシャフト３３６を回転可能に受け入れるように構成された孔３９０とを含む。孔３９０は、図１２に示すように、シャフト３３６のネック部分３４０を回転可能に受ける内面と、シャフト３３６のショルダ部分３３８の支承面３４１によって支持される下面とを有する、内方に延びるフランジ３９１を含んでよい。プーリ３１０の外壁３９２が、上面３８６と下面３８８との間に延在し、プーリの小径を画定する。
【００８６】
図１５を参照すると、各プーリ３１０は、上方フランジ３９４ａと、下方フランジ３９４ｂとを含む。上方フランジ３９４ａは、上面３８６に隣接して、プーリ３１０の外壁３９２の周囲に均等に間隔を置いて配置された複数の上方突起３９６ａによって集合的に形成される。上方突起３９６ａは、それぞれ、プーリ３１０の外壁３９２の周囲に第１の長さＬ１で延在し、第１の距離Ｄ１だけ離間する。同様に、下方フランジ３９４ｂは、下面３８８に隣接して、プーリ３１０の外壁３９２の周囲に均等に間隔を置いて配置された複数の下方突起３９６ｂによって集合的に形成される。下方突起３９６ｂは、プーリの外壁３９２の周囲に第２の長さＬ２で延在し、第２の距離Ｄ２だけ離間する。
【００８７】
図示の例において、上方突起３９６ａの第１の長さＬ１は、下方突起３９６ｂの間の第２の距離Ｄ２と同じであり、下方突起３９６ｂの第２の長さＬ２は、上方突起３９６ａの間の第１の距離Ｄ１と同じである。更に、上方突起３９６ａの各々は、下方突起３９６ｂの隣接する突起の間に形成された空間と軸方向に整列させられる。従って、上方突起３９６ａ及び下方突起３９６ｂは、外壁３９２の周囲に交互に配置され、プーリ３１０の軸方向において重なり合わない。他の例では、突起３９６ａ、３９６ｂが軸方向において互いに重なり合うように、異なる長さ及び空間が使用されてよい。
【００８８】
上方突起３９６ａ及び下方突起３９６ｂは、プーリ３１０の外壁３９２と協働して、その中にケーブル４０２の一部分を受け入れるように構成された溝３９８を画定する。上述のように、フランジ３９４ａ、３９４ｂが突起３９６ａ、３９６ｂによって画定されるとき、溝３９８は、突起３９６ａ、３９６ｂによって断続的に且つ交互に画定されてよい。従って、ケーブル４０２は、上方突起３９６ａ及び下方突起３９６ｂのうちの少なくとも１つによって溝３９８内に連続的に収容される。
【００８９】
図１２の断面図を参照すると、プーリ３１０の各々は、プロング３４４のうちの１つのプロングの遠位端３４８が下方突起３９６ｂの隣接する下方突起の間に形成された空間内に延在するように、ハウジング３０４の環状凹部３４２のそれぞれの１つの内に収容されるように構成される。従って、プロング３４４の遠位端３４８は、下方突起３９６ｂの回転経路と干渉する。プーリ３１０が回転すると、下方突起３９６ｂは、プロング３４４の遠位端３４８と断続的に係合する。この断続的な係合は、クリックノイズの形態の可聴フィードバック及び抵抗の断続的な増加の形態の触覚フィードバックの両方を提供する。従って、プーリ３１０及びプロング３４４の協働は、ロックデバイス３００のフィードバック機構３４９を画定するものとして言及されることがある。
【００９０】
図１及び図９を参照すると、締付システム４００は、ケーブル４０２と、ケーブル４０２を経路指定し且つ履物物品１０に沿ってケーブル４０２の張力を分配するためにアッパー１００及びソール構造２００上又は内に形成されたトラッキングシステム４０４とを含む。
【００９１】
ケーブル４０２は、１つ以上のファイバから形成されてよい。例えば、ファイバは、ポリエチレンファイバを含んでよい。追加的に又は代替的に、ケーブル４０２は、成形モノフィラメントポリマ及び／又は他の潤滑コーティングを有する又は有さない織鋼から形成されてよい。幾つかの例において、ケーブル４０２は、一緒に織られた複数の材料ストランドを含む。
【００９２】
図示の例において、ケーブル４０２は、第１の端３１６に近接して形成された第１の開口３３０ａから延びる制御部分４０６と、第２の開口３３０ｂから延びる締付部分４０８と、制御部分４０６と締付部分４０８との間に延在する一対のロック部分４１０とを含む。
【００９３】
制御部分４０６は、ケーブル４０２を締付方向ＤＴに移動させるために、適用される締付力ＦＴを有するように構成される。履物物品１０に組み込まれるときに、制御部分４０６は、ケーブル４０２を締付方向ＤＴに引っ張るためにユーザによって容易に把持され得るように、履物物品１０上に配置されてよい。締付部分４０８は、締付力ＦＴが制御部分４０６に適用されるときに履物物品１０を締め付けるために、トラッキングシステム４０４(追跡システム)と協働するように構成される。逆に、締付部分４０８は、ケーブル４０２を緩み方向ＤＬに移動させるために、適用される緩み力ＦＬを有するように構成される。ロック部４１０ａは、ハウジング３０４内に配置されており、（ｉ）ケーブルが締付方向ＤＴに引っ張られるときにプーリ３１０を回転させ、（ｉｉ）ロック部材３０８とインターフェース接続して制御部分４０６の位置を固定する、ように構成される。
【００９４】
幾つかの例において、制御部分４０６及び締付部分４０８の各々は、外側部分４０６ａ、４０８ａ(lateral  portion)及び内側部分４０６ｂ、４０８ｂ(medial  portion)を含むと称されることがある。外側部分４０６ａ、４０８ａ及び内側部分４０６ｂ、４０８ｂは、制御部分４０６及び締付部分４０８の各々が開口３３０ａ、３３０ｂの間に延びるケーブル４０２の連続的な有効長を画定するように、互いに接続されてよい。代替的に、制御部分４０６及び締付部分４０８のうちの少なくとも１つは、分離された外側部分４０６ａ、４０８ａ及び内側部分４０６ｂ、４０８ｂを含んでよい。例えば、図３に示すように、締付部分４０８は、第１の開口３３０ａの一方から外側末端４０９ａまで延びる外側締付部分４０８ａと、第１の開口３３０ａの他方から内側末端４０９ｂまで延びる内側締付部分４０８ｂとを含んでよい。末端４０９ａ、４０９ｂは、履物１０の前足領域１２内のストロベル２１８の底面に沿って互いに動作的に接続してよい。外側制御部分４０６ａは、外側ロック部分４１０ａによって内側締付部分４０８ａに接続され、内側制御部分４０６ｂは、内側ロック部分４１０ｂによって内側締付部分４０８ｂに接続される。
【００９５】
ケーブル４０２の全長は一定であるが、ケーブル４０２の締付部分４０８及び制御部分４０６の有効長は、ロックデバイス３００に対するケーブル４０２の位置に依存する。例えば、制御部分４０６が引っ張られ、ケーブル４０２がロックデバイス３００を通じて締付方向ＤＴに移動するとき、制御部分４０６の有効長は増大し、締付部分４０８の有効長は減少する。逆に、締付部分４０８が引っ張られ、ケーブル４０２がロックデバイス３００を通じて緩み方向ＤＬに移動するとき、締付部分４０８の有効長は増大して履物物品１０を緩め、制御部分４０６の有効長は減少する。上述のように、ロック部分４１０は、ケーブル４０２の位置に関係なく、ロックデバイス３００内に含まれるケーブル４０２の部分を指す。従って、有効長制御部分４０６、締付部分４０８、及びロック部分４１０は、ケーブル４０２自体の固定区画でないが、ロックデバイス３００に対するケーブル４０２の位置に依存する。
【００９６】
図示の例は、連続的に形成されたものとしてケーブル４０２を示しているが、他の例において、ケーブル４０２は、断片的であってよく、それによって、１つ以上のケーブルの端が互いに直接的又は間接的に取り付けられて、ケーブル４０２を形成する。例えば、ケーブル４０２は、外側制御部分４０６ａと、外側締付部分４０８ａと、外側ロック部分４１０ａとを含む、第１のセグメントと、内側制御部分４０６ｂと、内側締付部分４０８ｂと、内側ロック部分４１０ｂとを含む、別個に形成された第２のセグメントとを含んでよい。この例においてセグメントの各セグメントの制御部分４０６ａ、４０６ｂの端は、互いに直接的に又は中間構成要素によって取り付けられて、ループを形成する。上述のように、締付部分４０８ａ、４０８ｂの端は、互いに取り付けられてよく、或いはアッパー１００に取り付けられてよい。
【００９７】
制御部分４０６は、ケーブル４０２が締め付けられた位置から緩められた位置に移動させられるときに、制御部分４０６をアッパー１００に対して所定の位置に維持するように構成された１つ以上のアキュムレータ４１１を含んでよい。例えば、締付力ＦＴが制御部分４０６に適用されるとき、制御部分４０６の有効長は、ケーブル４０２が締付方向ＤＴに移動するにつれて増大することがある。制御部分４０６が余分な弛みを有すること及びアッパー１００から弛むことを防止するために、アキュムレータ４１１は、制御部分４０６がアッパー１００に対して張り続けるよう、制御部分４０６の追加の有効長を縮める(take  up)。図示の例において、アキュムレータ４１１は、ケーブル４０２の断面よりも大きな断面を有するチューブ又は導管であってよい。１つの構成において、アキュムレータ４１１は、アキュムレータ４１１に加えられる力が解放されるときに、ケーブル４０２がアッパー１００から離れて締付方向ＤＴに移動させられ、アッパー１００に隣接する位置に自動的に戻ることを可能にするよう、弾性材料から形成されてよい。ひとたび力が解放され、ケーブル４０２が締付方向ＤＴに移動されると、図１及び図３に示すように、ケーブル４０２の余分な弛みは、アキュムレータ４１１内に収容される。
【００９８】
締付システム４００は、履物物品１０に沿ってケーブル４０２の張力を分散させるよう、アッパー１００及びソール構造２００に一体化された複数のケーブルガイド４１２及び導管４１４を含むトラッキングシステム４０４を更に含む。
【００９９】
幾つかの例では、アッパー１００の外側側面１８と内側側面２０のうちの少なくとも１つは、弾性領域１１０の両側に沿って延びる一連の係合構成又はケーブルガイド４１２を含む。図２Ａの断面図に示すように、ケーブルガイド４１２は、それぞれ、ベース４１６と、ベース４１６から延びるフランジ４１８とを含んでよい。ベース４１６は、ベース４１６がアッパー１００から延びるように、アッパー１００に取り付けられてよい。フランジ４１８は、ベース４１６と一体的に形成されてよく、弧状経路に沿って延在する凹状の内面４２０を含んでよい。図示の例において、ケーブルガイド４１２は、内面４２０の弧状経路が凸状になるように方向付けられている。ケーブルガイド４１２、よって、内面４２０は、例えば、ナイロンのような、低摩擦材料から形成されてよい。更に、ベース４１６及びフランジ４１８は、非弾性領域１１２に対するケーブルガイド４１２の動きを制限して、ケーブルガイド４１２がアッパー１００に対して所望の位置に留まることを可能にし、それによって、内面４２０がアッパー１００に対してケーブル４０２を十分に案内することを可能にするよう、比較的剛性の材料から形成されてよい。最後に、フランジ４１８は、内面４２０に実質的に平行であり且つ凹状の形状を含む外面４２２を含んでよい。他の例において、外面４２２は、平面的であってよく、或いは凸状の形状を有してよい。
【０１００】
図示の例において、内面４２０及び外面４２２は協働して、図２の領域２Ａ及び領域２Ｂに示すように、内面４２０がケーブル４０２の締付部分４０８を受け入れて案内するのに役立つ実質的なＣ形状を含むように、全体的に湾曲したプロファイルをケーブルガイド４１２に提供する。１つの構成において、外側及び内側締付部分４０８ａ、４０８ｂは、ケーブルガイド４１２に入り、内面４２０に沿って延び、内面４２０に接してケーブルガイド４１２から出る。ケーブルガイド４１２は、開口しており且つＣ形状を有するものとして図示及び記載されているが、ケーブルガイド４１２の１つ以上は、内面が、図４の履物物品１０、１０ａの例に示すように、湾曲した管組織(tubing)の内面によって画定されるように、湾曲した管組織から形成されることができる。そのような構成において、管組織は、フランジ４１８と同じ又は類似の半径で形成することができる。
【０１０１】
上述のように、ケーブルガイド４１２の管組織は、実質的に剛性の材料から形成されてよく、ケーブル４０２が締付方向ＤＴと緩み方向ＤＬとの間を移動するときに、締付部分４０８ａ、４０８ｂをスライド可能に受ける内面４２０を画定してよい。更に、チューブは完全に閉鎖されなくてよく、それによって、ケーブルガイド４１２は、締付部分４０８ａ、４０８ｂがケーブルガイド４１２と接触する場所で、壁のみを含む。例えば、ケーブルガイド４１２のフランジ４１８は、弾性領域１１０から見て外方を向く方向に開放されてよく、弾性領域１１０に対向する側（すなわち、ケーブル４０２と接触する側）で閉鎖されてよい。
【０１０２】
幾つかの例において、ケーブルガイド４１２の内面（ケーブル接触面）４２０は、内部のケーブル４０２の移動を容易にする、潤滑性ポリマ（例えば、高密度ポリエチレン、テフロン（登録商標）のようなフロオロポリマ、ポリテトラフルオロエチレンベース及び／又はペルフルオロアルコキシベースのポリマ、フッ素化エチレンプロピレンなど）のような、低摩擦材料で裏打ち又は被覆される。ケーブルガイドの部分を低摩擦材料で被覆することによって、各レースパターン(lacing  pattern)によって得られる巻数(number  of  turns)を増加させることができる。例えば、ケーブルガイド４１２は、締付方向ＤＴにおけるケーブル４０２による移動を不利に阻害する摩擦を伴わずに、外側側面１８及び内側側面２０の各々にケーブル４０２の５つの巻き(ターン)を提供する。他の例において、ケーブルガイド４１２は、締付部分４０８ａ、４０８ｂを受け入れるために、アッパー１００の非弾性領域１１２ａ、１１２ｂを通じて形成された孔（例えば、アイレット）、又はアッパー１００の非弾性領域１１２ａ、１１２ｂに取り付けられた織物もしくはメッシュループを含む。織物又はメッシュのループ／ウェビングは、低摩擦材料で裏打ちされたケーブルガイドと比較して、ケーブル４０２が締付方向ＤＴに移動するときに、ケーブル４０２でより大きな摩擦を生成するこいとがある。従って、ケーブルガイド４１２としての使用のための織物又はメッシュループの最大数は、摩擦が締付方向ＤＴにおけるケーブル４０２による移動を有害に阻害しないように、ケーブル４０２の閾値巻数を超えないように制限されてよい。
【０１０３】
引き続き図１及び図２を参照すると、外側締付部分４０８ａ及び内側締付部分４０８ｂは、アッパー１００の喉閉鎖部１１６に沿って配置されたケーブルガイド４１２の対応するものを通じて進む(route)。ケーブルガイドを通じて進んだ後に、外側締付部分４０８ａ及び内側締付部分４０８ｂの末端４０９ａ、４０９ｂは、図３に示すように、前足領域１２に近接した場所でストロベル２１８の底面に沿って互いに動作的に接続してよい。例えば、コネクタ４２４が、末端４０９ａ、４０９ｂを互いに接続してよく、或いは、末端４０９ａ、４０９ｂは、互いに結び付けられてよく、互いに接着的に結合されてよく、或いは融着されてよい。他の構成において、締付部分４０８の末端４０９ａ、４０９ｂは、喉閉鎖部１１６の遠位端に近接する別個の場所でアッパー１００に固定される。
【０１０４】
図１及び図２を参照すると、アッパー１００の外側側面１８及び内側側面２０の各々は、上方非弾性領域１１２ａ上に配置された一組の上方ケーブルガイド４１２ａと、一組の上方ケーブルガイド４１２ａに対向し且つ下方非弾性領域１１２ｂ上に配置された一組の下方ケーブルガイド４１２ｂとを含む。従って、弾性領域１１０は、上方ケーブルガイド４１２ａと下方ケーブルガイド４１２ｂとの間に配置される。図１の例は、各々が、弾性領域１１０を横切って締付部分４０８ａ、４０８ｂの末端４０９ａ、４０９ｂのそれぞれ１つを受け入れるための対応する入口と、弾性領域１１０を横切って戻って末端４０９ａ、４０９ｂを方向付けるための対応する出口とを有する、チューブの個々の区画を含む、上方ケーブルガイド４１２ａ及び下方ケーブルガイド４１２ｂを示している。幾つかの例において、各ケーブルガイド４１２は、連続的な湾曲を通じて実質的に９０度（９０°）で曲げられた管組織の区画と関連付けられ、上方及び下方の非弾性領域１１２ａ、１１２ｂに取り付けられている。例えば、ケーブルガイド４１２と関連付けられた管組織は、非弾性領域１１２に、或いは非弾性領域１１２に取り付けられた中間材料に、縫合又は接着されてよい。この例は、３つの上方ケーブルガイド４１２ａ及び２つの下方ケーブルガイド４１２ｂを含む、外側側面１８及び内側側面２０の各々にあるケーブルガイド４１２を示しているが、他の構成は、より多く又はより少ない数のケーブルガイド４１２ａ、４１２ｂを含む各セットを含んでよい。幾つかの例において、下方ケーブルガイド４１２ｂは、上方ケーブルガイド４１２ａよりも多い数のケーブルガイド４１２を含む。更に別の例において、上方及び下方ケーブルガイド４１２ａ、４１２ｂは、それぞれ、同じ数のケーブルガイド４１２を含む。
【０１０５】
上方及び下方ケーブルガイド４１２ａ、４１２ｂの数は、ケーブル４０２が締付方向ＤＴに移動するときの摩擦を低減するために最適化されてよい。その上、アッパーへの上方及び下方ケーブルガイド４１２ａ、４１２ｂの配置は、上方及び下方ケーブルガイド４１２ａ、４１２ｂの各々の対応する対の間に延在するケーブル４０２の各区画が、ケーブルが締付方向及び緩み方向ＤＴ、ＤＬに移動するときの摩擦を低減するために実質的に真っ直ぐであるように、選択されてよい。幾つかの実施態様では、アッパー１００が締付状態に移動するときに等しい締付分布を提供するために、外側側面１８にある上方ケーブルガイド４１２ａの数は、内側側面２０にある上方ケーブルガイド４１２ａの数と等しく、外側側面１８にある下方ケーブルガイド４１２ｂの数は、内側側面２０にある下方ケーブルガイド４１２ｂの数と等しい。
【０１０６】
幾つかの実施態様では、１つ以上の経路指定チューブ４２６が、制御部分４０６及び締付部分４０８を履物１０に沿って履物１０を通じて経路指定するために、ケーブル４０２の部分を受け入れるように構成される。経路指定チューブ４２６の各々は、ケーブル４０２の受け入れ部分の外径よりも大きい内径を含んでよい。幾つかの例において、経路指定チューブ４２６は、ケーブル４０２が締付方向ＤＴ及び緩み方向ＤＬに移動させられるときに、アッパー１００に対する制御部分４０６及び締付部分４０８の移動を容易にする。
【０１０７】
図１及び図２を参照すると、第１の経路指定チューブ４２６ａが、ロックデバイス３００から延びる外側締付部分４０８ａの一部分を受け入れて、経路指定してよく、第２の経路指定チューブ４２６ｂが、内側締付部分４０８ｂの一部分を受け入れて、ミッドソール２１０及びアッパー１００を通じて経路指定してよい。同様に、第３の経路指定チューブ４２６ｃが、外側制御部分４０６ａを受け入れて、経路指定してよく、第４の経路指定チューブ４２６ｄが、内側制御部分４０６ｂを受け入れて、アッパー１００に沿ってミッドソール２１０を通じて経路指定してよい。その上、第５の経路指定チューブ４２６ｅが、解放コード３８４の一部分を受け入れて、ミッドソール２１０及びアッパー１００を通じて経路指定してよい。これらの例は、アッパー１００を通じて形成される通路を通じてミッドソール２１０の中足領域１４からアッパー１００の喉閉鎖部１１６又は踵領域１６にあるアッパー１００の足首開口１０４に向かって延びるチューブ４２６を全て示すが、チューブ４２６のうちの１つ以上は、アッパー１００の外面に配置されてよく、或いは内部空隙１０２内のアッパー１００の内面に配置されてよい。
【０１０８】
図７に示すように、締付システム４００は、ソール構造２００に形成された複数の通路４２８を含む。通路４２８は、中足領域１４に配置されたロックデバイス３００から延びるケーブル４０２及び解放コード３８４の端を受け取って経路指定するように構成される。ここでは、第１の通路４２８ａが、ロックデバイス３００と第１の経路指定チューブ４２６ａとの間に延在する外側締付セグメント４０８ａの端を受け入れてよく、第２の通路４２８ｂが、ロックデバイス３００と第２の経路指定チューブ４２６ｂとの間に延在する内側締付部分４０８ｂの端部を受け入れてよい。幾つかの実装において、第１の通路４２８ａ及び対応する第１の経路指定チューブ４２６ａは、それぞれ、ロックデバイス３００からミッドソール２１０の外側側面１８に向かって曲げ区画まで延びる第１の部分と、曲げ区画から踵領域１６にある足首開口１０４に向かって延びる第２の部分とを含む。経路指定チューブ４２６ａの第２の部分は、ミッドソール２１０の通路４２８ａから出て、アッパー１００の外側側面１８の一部分に沿って延びてよい。同様に、第２の通路４２８ｂ及び対応する第２の経路指定チューブ４２６ｂは、それぞれ、ロックデバイス３００からミッドソール２１０の内側側面２０に向かって曲げ区画まで延びる第１の部分と、曲げ区画から踵領域１６にある足首開口１０４に向かって延びる第２の部分とを含んでよい。経路指定チューブ４２６ｂの第２の部分は、ミッドソール２１０の通路４２８ｂから出て、アッパー１００の内側側面２０の一部分に沿って延びてよい。従って、図１〜図３を参照すると、アッパー１００は、喉閉鎖部１１６の外側側面及び内側側面１８、２０に沿って配置された対応する外側及び内側ケーブルガイド４１２を通じて進む前に、アッパー１００の外側側面及び内側側面１８、２０の対応するものに沿って外側締付部分４０８ａ及び内側締付部分４０８ｂを方向付けるために、ケーブル４０２の締付部分４０８のための追加的な経路指定構成を含む。
【０１０９】
図１〜図３を参照すると、第３及び第４の通路４２８ｃ、４２８ｄが、ロックデバイス３００から延びる外側制御部分４０６ａ及び内側制御部分４０６ｂの端を受け入れて経路指定するように構成される。ここで、第３の通路４２８ｃは、内部に封入された外側横方向制御部分４０６ａを有する第３の経路チューブ４２６ｃの一部分を受け入れてよく、第４の経路４２８ｄは、内部に封入されたケーブル４０２の内側制御部分４０６ｂを有する第４の経路チューブ４２６ｄの一部分を受け入れてよい。幾つかの実装において、第３の通路４２８ｃ及び対応する第３の経路指定チューブ４２６ｃは、それぞれ、ロックデバイス３００からミッドソール２１０の外側側面１８に向かって曲げ区画に延びる第１の部分と、曲げ区画から喉閉鎖部１１６及び足首開口１０４が交差する場所に近接する場所に向かって延びる第２の部分とを含む。第３の経路指定チューブ４２６ｃの第２の部分は、ミッドソール２１０の第３の通路４２８ｃから出て、アウトソール２２０から離れる方向にアッパー１００の外側側面１８に沿って延びてよい。同様に、第４の通路４２８ｄ及び対応する第４の経路指定チューブ４２６ｄは、それぞれ、ロックデバイス３００からミッドソール２１０の内側側面２０に向かって曲げ区画に延びる第１の部分と、曲げ区画から喉閉鎖部１１６及び足首開口１０４が交差する場所に近い場所に向かって延びる第２の部分とを含んでよい。第４の経路指定チューブ４２６ｄの第２の部分は、ミッドソール２１０の第４の通路４２８ｄから出て、アウトソール２２０から離れる方向にアッパー１００の内側側面２０に沿って延びてよい。
【０１１０】
図３及び図７を引き続き参照すると、解放通路４２８ｅが、ロックデバイス３００の第１の端３１６から延びる解放コード３８４の部分を受け取って経路指定するように構成される。ここで、解放通路４２８ｅは、内部に封入される解放コード３８４の一部分が有する経路指定チューブ４２６ｅの部分を受け入れてよい。幾つかの実装において、解放通路４２８ｅは、ロックデバイス３００からミッドソール２１０の踵領域１６に向かって第１の曲げ区画に延びる第１の部分と、第１の曲げ区画からミッドソール２１０の内側側面２０に向かって第２の曲げ区画に延びる第２の部分と、第２の曲げ区画から喉閉鎖部１１６及び足首開口１０４が交差する場所に近接する場所に向かって延びる第３の部分とを含む。第５の経路指定チューブ４２６ｅの第３の部分は、ミッドソール２１０の解放通路４２８ｅから出て、アッパー１００を通じて形成された対応する通路に入ってよく、対応する通路は、図２及び図３の矢印によって示すように、ユーザがロックデバイス３００をロック解除状態に移行させる解放力ＦＲを適用することを可能にする解放グリップ４３０を提供するために、通路から出て第２の端でアッパー１００に取り付く前に、アッパー１００の内側側面２０に沿って延びる。
【０１１１】
ミッドソール２１０に形成された対応する通路４２８を通じて延びる経路指定チューブ４２６の部分は、１つ以上の位置にあるストロベル２１８の表面及び／又はミッドソール２１０の対向する表面に取り付けられてよい。経路指定チューブ４２６は、実質的に剛性の材料から形成されてよく、締付方向及び緩み方向ＤＴ、ＤＬにおけるケーブル４０２の移動を容易にするように構成された内壁を画定してよい。幾つかの例において、経路指定チューブ４２６は、そこを通じるケーブル４０２の移動を容易にする潤滑性ポリマ（例えば、ポリテトラフルオロエチレン）のような、低摩擦材料で裏打ち又は被覆される。
【０１１２】
上述のように、ケーブル４０２の制御部分４０６は、ロックデバイス３００の第１の端３１６から延びる連続的なループである。図１〜図３に示すように、制御部分４０６は、足首開口１０４及び喉閉鎖部１１６が接する場所に近接して（すなわち、着用者の足の甲より上の領域に近接して）舌革部分１０６の周囲に延在する。舌革部分１０６の周囲に延在する制御部分４０６の部分は、シース４３２内に封入されてよい。シース４３２は、制御部分４０６のバンチング(集群)(bunching)を収容するために、ケーブル４０２の外径よりも大きな断面積を有する内部空洞又は空間を含んでよい。
【０１１３】
シース４３２は、更に、制御部分４０６が締付力ＦＴによってアッパー１００から離れる方向に移動させられるときに（すなわち、ケーブル４０２が締付方向ＤＴに移動させられるときに）、シース４３２が緩められた状態から伸張させられた状態又は拡張された状態に移動することを可能にする材料及び／又は織物から形成されてよい。締付力ＦＴが除去されるときに、シース４３２の材料及び／又は織物は、シース４３２を自動的に緩められた状態に収縮させ、その内部に制御部分４０６によるバンチングを収容する。
【０１１４】
図示の例では、別個の制御部分グリップ４３４が、舌革部分１０６に近接した取付場所でシース４３２に動作的に接続し、ユーザが締付力ＦＴを適用して、アッパー１００から離れる方向に制御部分４０６を引き、それによって、上方及び下方非弾性領域１１２ａ、１１２ｂを互いに向かって同時に引っ張ることによって弾性領域１１０を収縮させ、アッパー１００を締め付けられた状態に移動させることを可能にする。他の構成は、制御部分グリップ４３４を制御部分４０６の長さに沿ってシース４３２の他の部分に作動的に接続することを含んでよい。幾つかの実装において、制御部分グリップ４３４は省略され、シース４３２は、ユーザが把持して締付力ＦＴを適用して、制御部分４０６をアッパー１００から離れる方向に引くことを可能にすることによって、制御部分４０６に対応する。
【０１１５】
図１及び図２を参照すると、締付システム４００は、ソール構造２００とケーブルガイド４１２との間でケーブル４０２を経路指定するために、アッパー１００の外面に配置された複数の導管４１４を含んでよい。例えば、外側締付部分４０８ａは、中足領域１４にあるロックデバイス３００からアッパー１００の外側側面１８に沿って踵領域１６に近接して配置された第１の導管４１４ａに延びている。第２の導管４１４ｂは、外側締付部分４０８ａのためのアンカポイントとしての役割を果たして、外側締付部分４０８ａを、アッパー１００の外側側面１８に沿って、足首開口１０４に近接する方向において、足首開口１０４及び喉閉鎖部１１６が接する場所に近接して配置されたケーブルガイド４１２に延ばす。次に、外側締付部分４０８ａは、最後方の上方ケーブルガイド４１２ａを通じて、弾性領域１１０を横切って、最後方の下方ケーブルガイド４１２ｂを通じて送られる。外側締付部分４０８ａは、弾性領域１１０を横切ってジグザグ動作を続けて、図３に示すように、最終的に末端４０９ａ、４０９ｂで内側締付部分４０８ｂに動作的に接続される前に、上方及び下方ケーブルガイド４１２ａ、４１２ｂを通じて順次式に送られる。図２に示すように、内側締付部分４０８ｂは、履物物品１０の内側側面２０に沿って実質的に類似の方法で経路指定される。
【０１１６】
図５及び図６を参照すると、幾つかの実装において、外側締付部分４０８ａと関連付けられるレースパターン及び内側締付部分４０８ｂと関連付けられるレースパターンは、外側側面１８上の上方非弾性領域１１２ａと下方非弾性領域１１２ｂとの間の全閉鎖が内側側面２０の上方非弾性領域１１２ａと下方非弾性領域１１２ｂとの間の全閉鎖距離に略等しいように、選択される。図５は、弛んだ状態又は緩められた状態におけるアッパー１００を示している一方で、図６は、締め付けられた状態におけるアッパー１００を示しており、それによって、締付部分４０８が締付方向ＤＴに移動するときに、上方非弾性領域１１２ａと下方非弾性領域１１２ｂとの間の距離は低減される。
【０１１７】
幾つかの実装では、外側締付部分４０８ａの巻取距離(take-up)は、ケーブル４０２が締付方向ＤＴに移動するときの内側締付部分４０８ｂの巻取距離に実質的に等しい。従って、側方締付部分４０８ａの巻取距離は、外側側面１８の弾性領域１１０の幅の減少に略等しい一方で、内側締付部分４０８ｂの巻取距離は、内側側面２０の弾性領域１１０の幅の減少に略等しい。よって、ケーブル４０２の外側及び内側締付部分４０８ａ、４０８ｂと関連付けられるレースパターンは、ロックデバイス３００が、アッパー１００を、図５の弾性領域１１０の第１の幅Ｗ１によって示されるような弛んだ状態から、図６の弾性領域１１０の縮小された幅Ｗ２によって示されるような締め付けられた状態に移行させるときに、弾性領域１１０を収縮させることによって、喉閉鎖部１１６に亘る張力を均一に分配させることがある。
【０１１８】
その上、図２及び図３を引き続き参照すると、アッパー１００は、ケーブル４０２が両方向ＤＴ、ＤＬに移動するのを許容するために、ロックデバイス３００をロック状態からロック解除状態に移行させる解放コード３８４の部分を案内するための内側側面２０に沿った通路を画定してよい。例えば、解放コード３８４は、ロックデバイス３００をロック解除状態に移行させるために引っ張られてよく、ユーザがロックデバイス３００をロック状態からロック解除状態に移動させるために解放コード３８４を把持して引っ張ることを可能にするよう、ロックデバイス３００に取り付けられた第１の端からアッパー１００から露出させられた第２の端まで延びてよい。幾つかの例では、ロックデバイス３００をロック解除状態に移動させること及び／又はロックデバイス３００をロック解除状態から解放することが望ましいときに、ユーザが解放コード３８４を把持して引っ張ることを可能にするために、解放コード３８４の第２の端は、ループ及び／又は把持構成４３０を備えてよい。例示的な履物１００は、ユーザが解放力ＦＲ（図３）をシース４４０及び／又は解放コード３８４に適用して、解放コード３８４をアッパー１００から離れる方向に移動させることによって、ロックデバイス３００をロック解除状態に移動させることを可能にする緩みグリップ４３０に対応するシース４４０に取り付けられ且つその中に封入された解放コード３８４の第２の端を示している。シース４４０は、ミッドソール２１０から延びて第２の端で解放コード３８４を動作可能に接続する解放コード３８４の部分を案内し且つ封入するためのスリーブ又は通路を画定するために、アッパー１００の外面に取り付けられた織物材料を含んでよい。シース４４０によって画定されるスリーブ又は通路は、制御部分４０６のアキュムレータ４１１に関して上述したバンチングと同様に、解放力ＦＲが適用された後に、解放コード３８４によるバンチングを収容してよい。他の例において、解放コード３８４の第２の端は、舌革部分１０６、アッパー１００の外側側面１８、又はアッパー１００の踵領域１６の近くのような、履物１０の他の領域に近接して配置されることができる。
【０１１９】
図４は、アッパー１００、１００ａの内側側面２０に沿って通路から延びる解放コード３８４と、制御部分４０６及び解放コード３８４が同じケーブル／コードに対応する外観を提供するためにアッパー１００ａによって画定された対応する通路内に延びる制御部分４０６とを示す、履物１０、１０ａの代替的な構成の斜視図である。ここで、舌革部分１０６の周囲に延在する制御部分４０６の露出部分は、解放コード３８４の露出部分と実質的に整列させられている。制御部分は、シース４３２内に封入されてよく、任意的に、ユーザが締付力ＦＴを適用することを可能にするためんの制御部分４０６を含んでよく、解放コード３８４は、シース４４０内に封入されてよく、ユーザがロックデバイス３００をロック状態からロック解除状態に移動させるために解放力ＦＲを適用することを可能にする解放グリップ４３０を提供するようアッパー１００ａに取り付けられた第２の端を有してよい。シース４３２、４４０は、実質的に等しい厚さ及び実質的に等しい幅を画定してよい。よって、解放グリップ４３０を形成することに加えて、解放コード３８４の第２の端を内側側面２０に沿う取付場所でアッパー１００に取り付けることは、解放コード３８４及び制御部分４０６が互いに独立して移動するという事実にもかかわらず、２つのシース４３２、４４０が両方とも同じケーブル／コードの露出部分を経路指定しているという認識を与える。代替的な構成には示されていないが、解放コード３８４の第１の端は、ロックデバイス３００に取り付けられる。
【０１２０】
図１０及び図１１に関して上述したように、ロックデバイス３００は、緩み方向ＤＬにおけるケーブル４０２の移動を制限するロック状態と、緩み方向ＤＬ及び締付方向ＤＴの両方におけるケーブル４０２の移動を許容するロック解除状態との間で動作可能である。幾つかの実装において、ロックデバイス３００は、ロックデバイス３００がロック状態にあるときに、締付方向ＤＴにおけるケーブル４０２の移動を許容する。この構成は、締付力ＦＴが制御部分４０６に適用される毎にケーブル４０２が締付方向ＤＴに移動することを可能にする一方で、締付力ＦＴが解放されるときに、締付方向ＤＴ又は緩み方向ＤＬのいずれかにおける移動を制限する。そうする際に、所望のフィットが達成されるまで、内部空隙１０２が足の周囲で増分的に締め付けられることができる。これらの実装では、ロックデバイス３００は、緩み力ＦＬが締付部分４０８に適用されるときに、ケーブル４０２が緩み方向ＤＬに移動することを許容するために、ロック状態からロック解除状態に移行しなければならない。換言すれば、ケーブル４０２は、ロックデバイス３００がロック解除状態にない限り、緩み力ＦＬが締付部分４０８に適用されるときに緩み方向ＤＬに移動することが制限される。
【０１２１】
図１を参照すると、ケーブル４０２は、締付力ＦＴが制御部分４０６に加えられて制御部分４０６をアッパー１００から離れる方向に引いてケーブルガイド４１２を締め付けるときに、締付方向ＤＴに移動可能であり、それによって、アッパー１００を締付状態に移動させる。例えば、ひとたび足が内部空隙１０２によって受け入れられ、ソール構造２００上で支持されると、アッパー１００は、靴紐を手作業で結び付けること又はアッパー１００を締め付けるために他の締結具を手作業で締めることを必要とせずに、締付力ＦＴを制御部分４０６に適用することによって、足の周囲の内部空隙１０２のフィットを固定するために、自動的に締め付けられてよい。ここで、締付方向ＤＬにおけるケーブル４０２の移動は、制御部分４０６の有効長を増大させ、締付部分４０８の有効長を減少させる。締付部分４０８の有効長の減少は、図５及び図６に図示するように、足がソール構造２００上で支持されている間に、足が内部空隙１０２内で固定されるように、上方ケーブルガイド４１２ａを下方ケーブルガイド４１２ｂに向かって引かせて、アッパー１００を足の周囲で掴んで締め付けるように作動する。すなわち、締付部分４０８の有効長を減少させることは、ケーブルガイド４１２に対して張力を加え、それによって、ケーブルガイド４１２を互いに向かって引き寄せさせて、足の周囲でアッパー１００を締め付ける。何故ならば、締付部分４０８は、ケーブルガイド４１２に取り付けられているからである。
【０１２２】
幾つかの例では、足の周囲の内部空隙１０２の所望のフィットは、制御部分４０６に適用される締付力ＦＴの大きさに基づいて調整可能である。例えば、締付力ＦＴの大きさを増大させることは、アッパー１００に沿うケーブルガイド４１２の締付けが増大して足の周囲の内部空隙１０２のより緊密なフィットを達成するように、ケーブル４０２を締付方向ＤＴに更に移動させることがある。追加的に又は代替的に、足の周囲の内部空隙１０２のフィットは、制御部分４０６に加えられる締付力ＦＴの持続時間に基づいて調整可能であってよい。例えば、より長い持続時間に亘って制御部分４０６に適用される締付力ＦＴは、締付方向ＤＴに更に距離を移動させるケーブル４０２をもたらして、足の周囲の内部空隙１０２のより緊密なフィットを達成することがある。
【０１２３】
図１を参照すると、ケーブルロック３００がロック解除状態にある間に緩み力ＦＬが緩みグリップ１１８に適用されるときに、ケーブル４０２は緩み方向ＤＬに移動可能である。上述のように、ケーブルロック３００は、ロック部材３０８を係合面３３４から離れる方向に移動させるよう解放コード３８４に解放力ＦＲを適用することによって、ロック解除状態に移動させられる。
【０１２４】
図示の例において、ケーブル４０２は、緩みグリップ１１８を引くことによって、緩み方向ＤＬに間接的に移動させられてよい。例えば、緩み力ＦＬが緩みグリップ１１８に適用されるとき、舌革部分１０６は、アッパー１００から離れる方向に引っ張られて、内部キャビティ１０２を拡張させる。舌革部分１０６がアッパー１００から引き離される結果、上方ケーブルガイド４１２ａは、下方ケーブルガイド４１２ｂから引き離され、締付部分４０８の有効長は増大させられる。緩み力ＦＬが緩みグリップ１１８から解放されるときに、アッパー１００は、弛んだ状態に移動することがあり、それによって、締付部分４０８の有効長の増大は、履物１０の着脱のために内部空洞１０２が拡張されることを可能にする。他の例では、緩み力ＦＬは締付部分４０８に直接的に適用されて、締付部分４０８の有効長を増大させてよい。例えば、締付部分４０８は、緩み力ＦＬを加えるためにユーザによって把持されることができる１つ以上のプルタブを含んでよい。
【０１２５】
従って、履物１０は、靴紐を解いたり或いは１つ以上の締結具を取り外してアッパー１００を緩めたりすることを必要とせずに着脱されることがある。特に、ケーブル４０２が緩み方向ＤＬに移動すると、ケーブル４０２の締付部分４０８の有効長は、制御部分４０６の有効長が減少されるにつれて増大される。ここで、締付部分４０８の有効長の増加は、上方ケーブルガイド４１２ａが下方ケーブルガイド４１２ｂから離れる方向に移動することを可能にして、足首開口１０４を通じて足を内部空隙１０２から除去し得るように、締め付けられた状態から緩められた状態へのアッパー１００の移行を容易にする。
【０１２６】
ケーブル４０２がロックデバイスを通じて締付方向ＤＴ及び緩み方向ＤＬの１つにおいて引っ張られると、ケーブル４０２はそれぞれのプーリ３１０の溝３９８に係合し、各プーリ３１０をハウジング３０４のシャフト３３６の周りで回転させる。プーリ３１０が回転すると、プロング３４４の遠位端３４８は、プーリ３１０の下方突起３９６ｂと断続的に係合させられる。上述のように、下方突起３９６ｂの各々は、プーリ３１０の外壁３９２の周囲に同じ長さＬ２で延在し、距離Ｄ２だけ互いに規則的に離間する。従って、プロング３４４の遠位端３４８と突起３９６ｂとの断続的な係合は、突起３９６ｂとの間の距離Ｄ２と下方突起３９６ｂの長さＬ２との合計に対応する増分だけ、ケーブル４０２の移動に対応する。例えば、ケーブル４０２が、締付方向ＤＴ、Ｄ２及びＬ２の合計に等しい距離だけ引っ張られるときに、プーリ３１０は、１増分に等しい量だけ回転する。各増分は、可聴フィードバック及び／又は触覚フィードバックの形態におけるプロング３４４の遠位端３４８と下方突起３９６ｂとの間の断続的な係合によって示される。例えば、突起３９６ｂがプロング３４４の遠位端３４８と係合するときに、クリックノイズを生成して、ケーブル４０２がロックデバイス３００を通じて移動していることをユーザに示してよい。同様に、プロング３４４の遠位端３４８とプーリ３１０との係合は、触覚フィードバックの形態においてユーザによって感じられることがある。何故ならば、締付方向ＤＴにおける移動に対する抵抗が断続的にもたらされることがあるからである。
【０１２７】
図１〜図１８のロックデバイス３００は、中足領域１４のストロベル２１８の底面上に配置され、ミッドソール２１０の空洞によってカプセル化されているものとして記載されているが、ロックデバイス３００は、本開示の範囲から逸脱することなく、他の場所に配置されてよい。例えば、ロックデバイス３００の場所は、足の下にあって、中足領域１４から前足領域１２又は踵領域１６のいずれか一方にシフトしてよい。他の構成において、ロックデバイス３００は、例えば、図１６及び図１７に示すように、アッパー１００の踵領域に沿う、或いは、図１８に示すように、アッパー１００又は舌革部分１０６の上の足の頂部に亘る（例えば、甲の上方の）任意の適切な場所で、アッパー１００の外面に配置されてよい。他の構成において、ロックデバイス３００は、ストロベル２１８の内面とドロップインミッドソールとの間でアッパー１００の内部空隙１０２内に配置されてよい。制御部分４０６、制御部分４０６、及び解放コード３８４の経路指定は、ロックデバイス３００の場所の変化に順応するように構成されることがあるので、アッパー１００は、緩められた状態と締め付けられた状態との間で移動させられることがある。解放コード３８４の第２の端を密封する通路は、ロックデバイス３００が踵領域１６にあるアッパー１００上に配置されるときに、アッパー１００の外側側面１８又は内側側面２０に、或いは任意の他の適切な場所に配置されてよい。
【０１２８】
以下の条項は、本開示の原理に従った履物物品及びケーブルロックのための例示的な構成を提供する。
【０１２９】
条項１：履物物品であって、内部空隙を画定するアッパーと、アッパーを締め付けられた状態に移動させるよう締付方向に移動可能であり且つアッパーを緩められた状態に移動させるよう緩み方向に移動可能であるケーブルと、履物物品と連結され、ハウジングを含み、緩み方向における前記ケーブルの移動を制限するようロック状態において動作可能であり、緩み方向におけるケーブルの移動を許容するようロック解除状態において動作可能である、ケーブルロックとを含み、ケーブルロックは、ハウジング内に配置される第１のプーリを含み、第１のプーリは、第１のプーリの外周部分に沿うハウジングを通じるケーブルの移動に応答して自由に回転するように位置付けられる、履物物品。
【０１３０】
条項２：ケーブルは、締付方向においてケーブルを移動させるために第１の方向においてアッパーから離れる方向に移動させられるように動作可能な制御部分を含む、条項１に記載の履物物品。
【０１３１】
条項３：ケーブルロックは、制御部分から遠隔に配置される、条項２に記載の履物物品。
【０１３２】
条項４：第１のプーリは、第１のプーリの回転軸から延びる複数の突起を含み、突起は、複数の突起の隣接する突起の間に配置される開口を画定する、条項１に記載の履物物品。
【０１３３】
条項５：第１のプーリは、第１のプーリの外周の周囲に延在する溝を画定し、溝は、ケーブルを内部に受け入れるように動作可能である、条項４に記載の履物物品。
【０１３４】
条項６：溝は、第１のプーリの第１の側面と反対側の第２の側面の各々にある対応する突起の間に画定される、条項５に記載の履物物品。
【０１３５】
条項７：ハウジングと連結され、第１のプーリが回転するときに複数の突起が断続的に係合するように動作可能な第１の端を有する、プロングを更に含む、条項４に記載の履物物品。
【０１３６】
条項８：プロングは、ハウジングに取り付けられた第２の端を含み、第１の端は、第１のプーリが回転するときに第２の端に対して移動する、条項７に記載の履物物品。
【０１３７】
条項９：プロングは、ハウジングと一体的に形成される、条項８に記載の履物物品。
【０１３８】
条項１０：プロングは、第２の端と第１の端との間に延びる第１の長さを有し、プロングは、第１の長さの一部に沿って平坦化されている、条項８に記載の履物物品。
【０１３９】
条項１１：ケーブルロックは、ケーブルが締付方向においてハウジング内でハウジングに対して並進させられるときに可聴フィードバック及び触覚フィードバックのうちの少なくとも１つを提供するように動作可能である第２のプーリを含み、第２のプーリは、第１のプーリとは異なるケーブルの部分と係合する、条項１に記載の履物物品。
【０１４０】
条項１２：付勢バネが第１のプーリと第２のプーリとの間に延在し、付勢バネの第１の端がハウジングと連結され、付勢バネの第２の端がスライドロック部材と連結される、条項１１に記載の履物物品。
【０１４１】
条項１３：ハウジングは、細長く、長手方向の中線を有し、第１のプーリは、第２のプーリに対してハウジングの長手方向の中線の反対側に配置され、第１のプーリ及び第２のプーリの両方は、ハウジングの第１の端に隣接して配置される、条項１１に記載の履物物品。
【０１４２】
条項１４：ハウジングは、第１の平面的な外面と、反対側の第２の平面的な外面とを有し、第１の平面的な外面と第２の平面的な外面との間の最大厚さは、０．６ｍｍ〜１．２ｃｍの範囲内にある、条項１に記載の履物物品。
【０１４３】
条項１５：ハウジングは、左右対称である、条項１に記載の履物物品。
【０１４４】
条項１６：ハウジングは、丸みを帯びた長方形として成形される、条項１に記載の履物物品。
【０１４５】
条項１７：ハウジングの各々のそれぞれの隅に配置される孔を更に含む、条項１６に記載の履物物品。
【０１４６】
条項１８：ケーブルの一部分は、ハウジングの各々のそれぞれの隅に配置される孔を通じて延びる、条項１７に記載の履物物品。
【０１４７】
条項１９：ハウジングは、剛性である、条項１に記載の履物物品。
【０１４８】
条項２０：ハウジングは、ハウジングの周縁に隣接して配置され、ハウジングを通じる締結具の挿入を受け入れるように構成された、１つ以上の孔を更に含む、条項１に記載の履物物品。
【０１４９】
条項２１：締結具は、糸、フィラメント、ストラップ、リベット、ボルト、ネジ、フック、及びロッドからなる群から選択される１つ以上である、条項２０に記載の履物物品。
【０１５０】
条項２２：ケーブルが第１プーリの一部分の周囲に延び、ハウジングにある孔を通じて延びるにつれて、ケーブルは方向を変化させ、方向の変化は、３５度よりも大きく、１２０度よりも小さい、条項１に記載の履物物品。
【０１５１】
条項２３：ハウジングの内面から延びるシャフトを更に含み、第１プーリは、シャフトの周囲に取り付けられ、回転可能である、条項１に記載の履物物品。
【０１５２】
条項２４：ケーブルは、張力の下にあるときに、第１のプーリの外周部分に対する接線にある第１プーリから延び、ハウジングにある孔を通じる、条項１に記載の履物物品。
【０１５３】
条項２５：内部空隙を画定するアッパーと、アッパーを締め付けられた状態に移動させるために締付方向に移動可能であり、アッパーをゆるめられた状態に移動させるために緩み方向に移動可能である、ケーブルと、ハウジングを含み、緩み方向におけるケーブルの移動を制限するようロック状態において動作可能であり、緩み方向におけるケーブルの移動を許容するようロック解除状態において動作可能である、ケーブルロックとを含み、ケーブルロックは、ケーブルの異なる部分を受け、ケーブルがハウジング内でハウジングに対して移動させられるときに、ハウジングに対して回転するように動作可能である、第１プーリ及び第２プーリを含む、履物物品。
【０１５４】
条項２６：ケーブルは、ケーブルを締付方向に移動させるために第１の方向においてアッパーから離れる方向に動かされるよう動作可能な制御部分を含む、条項２５に記載の履物物品。
【０１５５】
条項２７：ケーブルロックは、制御部分から遠隔に配置される、条項２６に記載の履物物品。
【０１５６】
条項２８：第１のプーリ及び第２のプーリは、締付方向における第１の距離だけケーブルの移動に対応する増分フィードバックを提供するように構成される、条項２５に記載の履物物品。
【０１５７】
条項２９：第１プーリ及び第２プーリの少なくとも一方は、第１プーリ及び第２プーリの少なくとも一方の回転軸から延びる複数の突起を含み、突起は、複数の突起の隣接する突起の間に配置される開口を画定する、条項２５に記載の履物物品。
【０１５８】
条項３０：第１プーリ及び第２プーリの少なくとも一方は、第１プーリ及び第２プーリの少なくとも一方の外周の周囲に延在する溝を画定し、溝は、溝内にケーブルを受けるように動作可能である、条項２９に記載の履物物品。
【０１５９】
条項３１：ケーブルが締付方向において移動させられるときに、複数の突起に断続的に係合するように動作可能な第１の端を有するプロングを更に含む、条項２９に記載の履物物品。
【０１６０】
条項３２：プロングは、ハウジングに取り付けられる第２の端を含み、第１の端は、ケーブルが締付方向に移動させられるときに、第２の端に対して移動する、条項３１に記載の履物物品。
【０１６１】
条項３３：プロングは、ハウジングと一体的に形成される、条項３２に記載の履物物品。
【０１６２】
条項３４：第１プーリ及び第２プーリは、ケーブルが締付方向においてハウジング内でハウジングに対して並進させられるときに、可聴フィードバック及び触覚フィードバックの少なくとも１つを提供するように動作可能である、条項２５に記載の履物物品。
【０１６３】
条項３５：ハウジングであって、第１の端と、第１の端とは反対のハウジングの端に配置される第２の端とを含む、ハウジングと、ハウジングによって回転可能に支持され、第１の端及び第２の端の一方に近接して配置される、第１のプーリであって、第1のプーリの外周部分に沿うハウジングを通じるケーブルの移動に応答して自由に回転するように動作可能である、第1のプーリと、ハウジングによって回転可能に支持され、第１の端及び第２の端の一方に近接して配置される、第２のプーリであって、第２のプーリの外周部分に沿うハウジングを通じるケーブルの移動に応答して自由に回転するように動作可能である、第２のプーリと、ハウジング内にスライド可能に配置され、ハウジングに対する第１の方向におけるケーブルの移動を制限するように動作可能であるロック状態とハウジングに対する第１の方向におけるケーブルの移動を許容するように動作可能であるロック解除状態との間で移動可能である、ロック部材とを含み、ロック部材は、第１のプーリ及び第２のプーリよりもハウジングの第１の端及び第２の端の他方により近接して配置される、ケーブルのためのケーブルロック。
【０１６４】
条項３６：第１プーリ及び第２プーリは、それぞれ、第１プーリ及び第２プーリの回転軸から延びる複数の突起を含み、突起は、複数の突起の隣接する突起の間に配置される開口を画定する、条項３５に記載のケーブルロック。
【０１６５】
条項３７：第１プーリは、第１プーリの外周の周囲に延在する第１の溝を画定し、第２プーリは、第２プーリの外周の周囲に延在する第２の溝を画定し、第１の溝及び第２の溝は、第１の溝及び第２の溝内にケーブルを受けるように動作可能である、条項３６に記載のケーブルロック。
【０１６６】
条項３８：第１の溝は、第１のプーリの第１の側面及び対向する第２の側面の各々にある対応する突起の間に画定され、第２の溝は、第２のプーリの第１の側面及び対向する第２の側面の各々にある対応する突起の間に画定される、条項３７に記載のケーブルロック。
【０１６７】
条項３９：ハウジングに連結され、第１のプーリが回転するときに複数の突起と断続的に係合するように動作可能である第１の端を有する、第１のプロングと、ハウジングに連結され、第２のプーリが回転するときに、複数の突起に断続的に係合するように動作可能である第１の端を有する、第２のプロングとを更に含む、条項３６に記載のケーブルロック。
【０１６８】
条項４０：第１のプロング及び第２のプロングは、それぞれ、ハウジングに取り付けられる第２の端を含み、第１の端は、第１のプーリ及び第２のプーリが回転するときに第２の端に対して移動する、条項３９に記載のケーブルロック。
【０１６９】
条項４１：第１のプロング及び第２のプロングは、ハウジングと一体的に形成される、条項４０に記載のケーブルロック。
【０１７０】
条項４２：第１のプロング及び第２のプロングは、それぞれ、第２の端と第１の端との間に延びる第１の長さを有し、第１のプロング及び第２のプロングは、第１の長さの一部に沿って平坦化される、条項４０に記載のケーブルロック。
【０１７１】
条項４３：第１プーリ及び第２プーリは、ケーブルがハウジング内でハウジングに対して移動させられるときに、可聴フィードバック及び触覚フィードバックのうちの少なくとも１つを提供するように動作可能であり、第２プーリは、第１プーリとは異なるケーブルの部分と係合する、条項３５に記載のケーブルロック。
【０１７２】
条項４４：付勢バネが第１のプーリと第２のプーリとの間に延在し、付勢バネの第１の端はハウジングと連結され、付勢バネの第２端はロック部材と連結される、条項３５に記載のケーブルロック。
【０１７３】
条項４５：ハウジングは、細長く、長手方向の中線を有し、第１のプーリは、第２のプーリに対してハウジングの長手方向の中線の反対側に配置される、条項３５に記載のケーブルロック。
【０１７４】
条項４６：ハウジングは、第１の平面的な外面と、対向する第２の平面的な外面とを有し、第１の平面的な外面と第２の平面的な外面との間の最大厚さは、０．６ｃｍ〜１．２ｃｍの範囲内にある、条項３５に記載のケーブルロック。
【０１７５】
条項４７：ハウジングは、左右対称である、条項３５に記載のケーブルロック。
【０１７６】
条項４８：ハウジングは、丸みを帯びた長方形として成形される、条項３５に記載のケーブルロック。
【０１７７】
条項４９：ハウジングの各々のそれぞれの隅に配置される孔を更に含む、条項４８に記載のケーブルロック。
【０１７８】
条項５０：ケーブルの一部分がハウジングの各隅に配置される各孔を通じて延びる、条項４９に記載のケーブルロック。
【０１７９】
条項５１：ハウジングは、剛性である、条項３５に記載のケーブルロック。
【０１８０】
条項５２：ハウジングは、ハウジングの周縁に隣接して配置され、ハウジングを通じる締結具の挿入を受け入れるように構成される、１つ以上の孔を更に含む、条項３５に記載のケーブルロック。
【０１８１】
条項５３：締結具は、糸、フィラメント、ストラップ、リベット、ボルト、ネジ、フック、及びロッドからなる群から選択される１つ以上である、条項５２に記載のケーブルロック。
【０１８２】
条項５４：ケーブルが第１のプーリの一部分の周囲に延び、ハウジングにある第１の孔を通じて延びるにつれて、ケーブルは方向を変化させ、ケーブルが第２のプーリの一部分の周囲に延び、ハウジングにある第２の孔を通じて延びるにつれて、ケーブルは方向を変化させ、方向の変化は、３５度よりも大きく、１２０度よりも小さい、条項３５に記載のケーブルロック。
【０１８３】
条項５５：ハウジングの内面から延びる第１のシャフトと、ハウジングの内面から延びる第２のシャフトとを更に含み、第１のプーリは、第１のシャフトに取り付けられ、第１のシャフトの周りで回転可能であり、第２のプーリは、第２のシャフトに取り付けられ、第２のシャフトの周りで回転可能である、条項３５に記載のケーブルロック。
【０１８４】
条項５６：ケーブルは、張力の下にあるときに、ハウジングにある第１の孔を通じて第１のプーリの外周部分に対する接線方向に第１のプーリから延び、ハウジングにある第２の孔を通じて、第２のプーリの外周部分に対する接線方向に第２プーリから延びる、条項３５に記載のケーブルロック。
【０１８５】
条項５７：ロック部材は、互いに向かって収束する第１のロック面及び第２のロック面を含み、ハウジングに対する第１の方向におけるケーブルの移動を制限するために、第１のロック面は、ロック状態においてハウジングの第１の係合面と第１のロック面との間でケーブルの第１の部分を狭窄(ピンチ)するように動作可能であり、第２のロック面は、ロック状態においてハウジングの第２の係合面と第２のロック面との間でケーブルの第２の部分を狭窄(ピンチ)するように動作可能である、条項３５に記載のケーブルロック。
【０１８６】
前述の記載は、例示及び記述の目的で提供されている。それは網羅的であることも本開示を制限することも意図していない。特定の構成の個々の要素又は構成は、一般的に、その特定の構成に限定されないが、適用可能な場合には、互換性があり、具体的に図示又は記載されていないとしても、選択された構成で使用されることができる。同じことは、多くの方法で変更されてもよい。そのような変更は、本開示からの逸脱とはみなされず、全てのそのような変更は、本開示の範囲内に含まれることが意図されている。
【図１】
2021536309.tif 000003
【図２】
2021536309.tif 000004
【図２Ａ】
2021536309.tif 000005
【図２Ｂ】
2021536309.tif 000006
【図３】
2021536309.tif 000007
【図４】
2021536309.tif 000008
【図５】
2021536309.tif 000009
【図６】
2021536309.tif 000010
【図７】
2021536309.tif 000011
【図８】
2021536309.tif 000012
【図９】
2021536309.tif 000013
【図１０】
2021536309.tif 000014
【図１１】
2021536309.tif 000015
【図１２】
2021536309.tif 000016
【図１３】
2021536309.tif 000017
【図１４】
2021536309.tif 000018
【図１５】
2021536309.tif 000019
【図１６】
2021536309.tif 000020
【図１７】
2021536309.tif 000021
【図１８】
2021536309.tif 000022
【国際調査報告】
2021536309.tif 000023
2021536309.tif 000024